(57)【要約】ワイヤレス通信システムにおいて動作可能なデータモジュールが提供される。データモジュールは、複数の回路コンポーネント、１つまたは複数の温度センサ、そしてサーマル管理ユニットを含む。温度センサは、対応する回路コンポーネントの温度を決定するように構成されている。サーマル管理ユニットは、その温度決定に基づいてデータモジュールの１つまたは複数のサーマル特性を決定するように、そして、その決定されたサーマル特性に基づいてターゲットコンポーネントの対応する動作特性を調整するかどうかを示す１つまたは複数のパワー制御ポイント信号を生成するように、構成されている。
2011521386.tif 000002
【特許請求の範囲】
【請求項１】
ワイヤレス通信システムにおいて動作可能なデータモジュールであって、前記データモジュールは、
複数の回路コンポーネントと、
対応する回路コンポーネントの前記温度を決定するように構成された１つまたは複数の温度センサと、
前記温度決定に基づいて前記データモジュールの１つまたは複数のサーマル特性を決定するように、そして、前記決定されたサーマル特性に基づいて前記複数の回路コンポーネントからの１つまたは複数のターゲットコンポーネントの対応する動作特性を調整するかどうかを示す１つまたは複数のパワー制御ポイント信号を生成するように、構成されたサーマル管理ユニットと、
を備えているデータモジュール。
【請求項２】
少なくとも１つの温度センサは、
温度を直接に測定するサーミスタと、
動作電流に基づいて間接的に温度を決定する電流モニタと、
のうちの少なくとも１つである、請求項１に記載のデータモジュール。
【請求項３】
前記１つまたは複数の決定されたサーマル特性は、
予め決定された温度範囲における前記データモジュールのオペレーションを示しているサーマルステータスと、
時間にわたる前記データモジュールの温度における変化を示しているサーマル傾きと、
温度における変化に応じてサーマル均衡を達成することと関連づけられたサーマル時間定数と、
のうちの少なくとも１つを含む、請求項１に記載のデータモジュール。
【請求項４】
前記サーマル管理ユニットは、望ましい閾値レベル以下で前記決定されたサーマル特性を保持するためにフィードバック制御ループの一部として前記複数の回路コンポーネントからのターゲットコンポーネントの対応する動作特性を調整するように構成されている、請求項１に記載のデータモジュール。
【請求項５】
前記少なくとも１つのサーマル特性は、前記フィードバック制御ループに対してヒステリシスを提供する関連づけられた閾値マージンを有し、前記フィードバック制御ループは、前記決定された特性が望ましい閾値に達するまたは超えるとき、前記閾値マージンより下に、前記決定されたサーマル特性を戻す、請求項４に記載のデータモジュール。
【請求項６】
前記複数の回路コンポーネントは、情報を変調し復調するためのモデムを含み、少なくとも１つのパワー制御ポイント信号は、ピークアップリンクデータレートまたはダウンリンクデータレートを減少させるように、前記モデムに命令する、請求項１に記載のデータモジュール。
【請求項７】
少なくとも１つのパワー制御ポイント信号は、通信データを処理するために、関連づけられたクロック周波数及び電圧設定を縮小するように、前記モデムに命令する、請求項６に記載のデータモジュール。
【請求項８】
前記ダウンリンクデータレートは、基地局のために意図された信号品質フィードバック情報を、人工的にバイアスをかけることによって、縮小される、請求項６に記載のデータモジュール。
【請求項９】
前記複数の回路コンポーネントは、パワーアンプを含み、少なくとも１つのパワー制御ポイント信号は、アップリンク送信パワーを制限するまたは縮小させるように、前記パワーアンプに命令する、請求項１に記載のデータモジュール。
【請求項１０】
前記複数の回路コンポーネントは、無線周波数トランシーバ回路を含み、少なくとも１つのパワー制御ポイント信号は、
受信ダイバーシティを一時的にディスエイブルにすること、
割り当てられたキャリアのサブセットにマルチキャリアオペレーションを一時的に制限すること、
少なくとも１つの高度な受信機機能を一時的にディスエイブルにすること、
のうちの少なくとも１つを実行するように、前記無線周波数トランシーバ回路に命令する、請求項１に記載のデータモジュール。
【請求項１１】
１つまたは複数の割り当てられたキャリアは、基地局との調整を通じて、ドロップされる、請求項１０に記載のデータモジュール。
【請求項１２】
前記割り当てられたキャリアのサブセットは、各キャリアの知覚された信号品質に応じて選択される、請求項１０に記載のデータモジュール。
【請求項１３】
前記少なくとも１つの高度な受信機機能は、
前記トランシーバ回路周波数応答の等化と、
干渉キャンセルと、
のうちの少なくとも１つを含む、請求項１０に記載のデータモジュール。
【請求項１４】
前記少なくとも１つの高度受信機機能は、よいサービス品質を示している予め決定された閾値よりも信号対雑音比が上であるときのみにディスエイブルにされる、請求項１０に記載のデータモジュール。
【請求項１５】
前記複数の回路コンポーネントは、ターボデコーダを含み、少なくとも１つのパワー制御ポイント信号は、復号に使用された反復の数を縮小するように、前記ターボデコーダに命令する、請求項１に記載のデータモジュール。
【請求項１６】
前記サーマル管理ユニットは、
受信信号の知覚された信号品質と、
各反復の収束と、
の少なくとも１つに基づいて、前記縮小された反復の数を決定する、請求項１５に記載のデータモジュール。
【請求項１７】
前記サーマル管理ユニットは、汎用プロセッサに結合され、または、組み込まれ、前記サーマル管理ユニットは、前記プロセッサの１つまたは複数の処理アクティビティを制限するようにさらに構成されている、請求項１に記載のデータモジュール。
【請求項１８】
前記１つまたは複数の処理アクティビティを制限することは、
マルチメディアアプリケーションの実行をインタラプトすること、
シンプレクスオペレーションにデュプレクストランシーバオペレーションを制限すること、
ダウンリンクアプリケーションと同時にアップリンクアプリケーションの前記実行を不可能にすること、
の少なくとも１つを含む、請求項１７に記載のデータモジュール。
【請求項１９】
前記サーマル管理ユニットは、前記データモジュールの少なくとも２つの動作特性に同時に調整するために、少なくとも２つのパワー制御ポイント信号を生成する、請求項１に記載のデータモジュール。
【請求項２０】
前記少なくとも２つの調整された動作特性は、
モデムにおけるアップリンクデータレートまたはダウンリンクデータレートを制限することと、パワーアンプにおける最大送信パワーを制限すること、
モデムにおけるアップリンクデータレートまたはダウンリンクデータレートを制限することと、関連づけられた無線周波数トランシーバ回路の少なくとも１つの高度受信機機能をディスエイブルにすること、
前記モデムにおけるアップリンクデータレートまたはダウンリンクデータレートを制限することと、関連づけられた無線周波数トランシーバ回路の単一受信機に受信ダイバーシティを制限すること、及び
一度に単一のアップリンクアプリケーションまたはダウンリンクアプリケーションに、関連づけられた無線周波数トランシーバオペレーションを制限することと、アップリンク送信パワーを制限すること、
の組み合わせのうちの少なくとも１つを含む、請求項１９に記載のデータモジュール。
【請求項２１】
前記複数の回路コンポーネントからのターゲットコンポーネントの動作特性を調整することは、対応する動作特性の調整を選択的にイネーブルするために、メモリで保存されたサーマル管理パラメータにさらに基づいており、選択サーマル管理パラメータは、前記データモジュールのユーザによって設定可能である、請求項１に記載のデータモジュール。
【請求項２２】
前記選択サーマル管理パラメータのうちの少なくとも１つは、前記複数の回路コンポーネントのうちの１つの前記最大パワー消費を設定する、請求項２１に記載のデータモジュール。
【請求項２３】
前記データモジュールのサーマル特性を決定することは、メモリで保存され、前記データモジュールの前記１つまたは複数のサーマル特性と関連づけられたサーマルモデルを特徴づける、サーマル管理パラメータによって定義され、前記サーマル管理パラメータは、前記データモジュールのユーザによって設定可能である、請求項１に記載のデータモジュール。
【請求項２４】
前記選択サーマル管理パラメータのうちの１つまたは複数は、
前記サーマルモデルにおいて使用される前記データモジュールの前記フォームファクタの物理的特性と、
前記データモジュールの対応する動作特性を調整するための予め決定された時間期間と、
前記データモジュールの対応する動作特性を調整することと関連づけられた温度閾値と、
のうちの少なくとも１つを定義する、請求項２３に記載のデータモジュール。
【請求項２５】
複数の回路コンポーネントを備え、ワイヤレス通信システムにおいて動作可能なデータモジュールのサーマル管理のための方法であって、前記方法は、
前記回路コンポーネントの１つまたは複数の温度を決定することと、
前記温度決定に基づいて、前記データモジュールの１つまたは複数のサーマル特性を決定することと、
前記決定されたサーマル特性に基づいて、前記複数の回路コンポーネントの中の１つまたは複数のターゲットコンポーネントの少なくとも１つの動作特性を調整すること、
を備える、
方法。
【請求項２６】
前記１つまたは複数の決定されたサーマル特性は、
予め決定された温度範囲における前記データモジュールのオペレーションを示しているサーマルステータスと、
時間にわたる前記データモジュールの温度における変化を示しているサーマル傾きと、
温度における変化に応じてサーマル均衡を達成することと関連づけられたサーマル時間定数と、
のうちの少なくとも１つを含む、請求項２５に記載の方法。
【請求項２７】
１つまたは複数のターゲットコンポーネントの前記少なくとも1つの動作特性を調整することは、望ましい閾値レベル以下で前記決定されたサーマル特性を保持するためにフィードバック制御ループの一部として実行される、請求項２５に記載の方法。
【請求項２８】
少なくとも１つのサーマル特性は、前記フィードバック制御ループに対してヒステリシスを提供する関連づけられた閾値マージンを有し、前記フィードバック制御ループは、前記決定された特性が前記望ましい閾値に達するまたは超えるとき、前記閾値マージンより下に、前記決定されたサーマル特性を戻す、請求項２７に記載の方法。
【請求項２９】
１つまたは複数のターゲットコンポーネントの前記少なくとも1つの動作特性を調整することは、情報を変調し復調するためのモデムのピークアップリンクデータレートまたはダウンリンクデータレートを減少させることを含む、請求項２５に記載の方法。
【請求項３０】
１つまたは複数のターゲットコンポーネントの前記少なくとも１つの動作特性を調整することは、通信データを処理するための関連づけられたクロック周波数及び電圧設定を縮小することをさらに含む、請求項２９に記載の方法。
【請求項３１】
前記データレートを減少させることは、基地局のために意図された信号品質フィードバック情報を、人工的にバイアスをかけることを含む、請求項２９に記載の方法。
【請求項３２】
１つまたは複数のターゲットコンポーネントの前記少なくとも１つの動作特性を調整することは、パワーアンプによって提供される、アップリンク送信パワーを制限するまたは縮小させることを含む、請求項２５に記載の方法。
【請求項３３】
１つまたは複数のターゲットコンポーネントの前記少なくとも１つの動作特性を調整することは、
関連づけられた無線周波数トランシーバ回路の受信ダイバーシティを一時的にディスエイブルにすること、
割り当てられたキャリアのサブセットに、関連づけられた無線周波数トランシーバ回路のマルチキャリアオペレーションを一時的に制限すること、
のうちの少なくとも１つを含む、請求項２５に記載の方法。
【請求項３４】
各キャリアの知覚された信号品質に応じて、前記割り当てられたキャリアのサブセットを選択すること、をさらに備える請求項３３に記載の方法。
【請求項３５】
１つまたは複数のターゲットコンポーネントの前記少なくとも１つの動作特性を調整することは、
トランシーバ回路周波数応答の等化と、
干渉キャンセルと、
から選択される、少なくとも１つの高度な受信機機能を一時的にディスエイブルにすることを含む、請求項２５に記載の方法。
【請求項３６】
前記ディスエイブルにすることは、よいサービス品質を示している予め決定された閾値よりも信号対雑音比が上であるときのみに実行される、請求項３５に記載の方法。
【請求項３７】
１つまたは複数のターゲットコンポーネントの前記少なくとも１つの動作特性を調整することは、受信信号を復号することにおいて使用されるターボデコーダ反復の数を縮小することを含む、請求項２５に記載の方法。
【請求項３８】
受信信号の知覚された信号品質、または、各反復の収束、に基づいて、前記縮小された反復の数を決定すること、をさらに備えている請求項３７に記載の方法。
【請求項３９】
１つまたは複数のターゲットコンポーネントの前記少なくとも１つの動作特性を調整することは、前記データモジュールに結合された、または、組み込まれた、汎用プロセッサの１つまたは複数の処理アクティビティを制限することを含む、請求項２５に記載の方法。
【請求項４０】
前記処理アクティビティの１つまたは複数を制限することは、
マルチメディアアプリケーションの実行をインタラプトすること、
シンプレクスオペレーションにデュプレクストランシーバオペレーションを制限すること、
ダウンリンクアプリケーションと同時にアップリンクアプリケーションの実行を不可能にすること、
の少なくとも１つを含む、請求項３９に記載の方法。
【請求項４１】
少なくとも２つの動作特性は調整される、請求項２５に記載の方法。
【請求項４２】
前記少なくとも２つの調整された動作特性は、
モデムのアップリンクデータレートまたはダウンリンクデータレートを制限することと、パワーアンプの最大送信パワーを制限することと、
モデムのダウンリンクデータレートを制限することと、関連づけられた無線周波数トランシーバ回路の少なくとも１つの高度受信機機能をディスエイブルにすること、
モデムのアップリンクデータレートまたはダウンリンクデータレートを制限することと、関連づけられた無線周波数トランシーバ回路の単一受信機に受信ダイバーシティを制限すること、及び
一度に単一アップリンクアプリケーションまたはダウンリンクアプリケーションに無線周波数トランシーバオペレーションを制限することと、アップリンク送信パワーを制限すること、
の組み合わせのうちの少なくとも１つを含む、請求項４１に記載の方法。
【請求項４３】
メモリで保存され、そして、前記データモジュールの前記１つまたは複数のサーマル特徴と関連づけられたサーマルモデルを特徴づける、サーマル管理パラメータにしたがって調整するために前記サーマル特徴を選択すること、をさらに備え、前記サーマル管理パラメータは、前記データモジュールのユーザによって設定可能である、請求項２５に記載の方法。
【請求項４４】
前記サーマルモデルは、前記データモジュールの対応する動作特性を調整するための、少なくとも１つの予め決定された時間期間を定義する、請求項４３に記載の方法。
【請求項４５】
ワイヤレス通信システムにおいて動作可能なデータモジュールであって、前記データモジュールは、
複数の回路コンポーネントと、
前記回路コンポーネントの１つまたは複数の温度を決定するための手段と、
前記温度決定に基づいて、前記データモジュールの１つまたは複数のサーマル特性を決定するための手段と、
前記決定されたサーマル特性に基づいて、前記複数の回路コンポーネントの中の１つまたは複数のターゲットコンポーネントの少なくとも１つの動作特性を調整するための手段と、
を備える、
データモジュール。
【請求項４６】
前記１つまたは複数の決定されたサーマル特性は、
予め決定された温度範囲における前記データモジュールのオペレーションを示しているサーマルステータスと、
時間にわたる前記データモジュールの温度における変化を示しているサーマル傾きと、
温度における変化に応じてサーマル均衡を達成することと関連づけられたサーマル時間定数と、
のうちの少なくとも１つを含む、請求項４５に記載のデータモジュール。
【請求項４７】
１つまたは複数のターゲットコンポーネントの前記少なくとも１つの動作特性を調整するための手段は、望ましい閾値レベル以下で前記決定されたサーマル特性を保持するためにフィードバック制御ループの一部を形成する、請求項４５に記載のデータモジュール。
【請求項４８】
少なくとも１つのサーマル特性は、前記フィードバック制御ループに対してヒステリシスを提供する関連づけられた閾値マージンを有し、前記フィードバック制御ループは、前記決定された特性が前記望ましい閾値に達するまたは超えるとき、前記閾値マージンより下に、前記決定されたサーマル特性を戻す、請求項４７に記載のデータモジュール。
【請求項４９】
１つまたは複数のターゲットコンポーネントの前記少なくとも１つの動作特性を調整するための手段は、情報を変調し復調するためのモデムのピークアップリンクデータレートまたはダウンリンクデータレートを減少させるための手段を含む、請求項４５に記載のデータモジュール。
【請求項５０】
１つまたは複数のターゲットコンポーネントの前記少なくとも１つの動作特性を調整するための手段は、通信データを処理するために、関連づけられたクロック周波数及び電圧設定を縮小するための手段をさらに含む、請求項４９に記載のデータモジュール。
【請求項５１】
前記データレートを減少させるための手段は、基地局のために意図された信号品質フィードバック情報を、人工的にバイアスをかけるための手段を含む、請求項４９に記載のデータモジュール。
【請求項５２】
１つまたは複数のターゲットコンポーネントの前記少なくとも１つの動作特性を調整するための手段は、パワーアンプによって提供されるアップリンク送信パワーを制限するまたは縮小させるための手段を含む、請求項４５に記載のデータモジュール。
【請求項５３】
１つまたは複数のターゲットコンポーネントの前記少なくとも１つの動作特性を調整するための手段は、
関連づけられた無線周波数トランシーバ回路の受信ダイバーシティを一時的にディスエイブルにするための手段と、
割り当てられたキャリアのサブセットに、関連づけられた無線周波数トランシーバ回路のマルチキャリアオペレーションを一時的に制限するための手段と、
のうちの少なくとも１つを含む、請求項４５に記載のデータモジュール。
【請求項５４】
各キャリアの知覚された信号品質に応じて、前記割り当てられたキャリアのサブセットを選択するための手段、をさらに備える請求項５３に記載のデータモジュール。
【請求項５５】
１つまたは複数のターゲットコンポーネントの前記少なくとも１つの動作特性を調整するための手段は、
トランシーバ回路周波数応答の等化と、
干渉キャンセルと、
から選択される少なくとも１つの高度な受信機機能を一時的にディスエイブルにするための手段を含む、請求項４５に記載のデータモジュール。
【請求項５６】
前記ディスエイブルにすることは、よいサービス品質を示している予め決定された閾値よりも信号対雑音比が上であるときのみに実行される、請求項５５に記載のデータモジュール。
【請求項５７】
１つまたは複数のターゲットコンポーネントの前記少なくとも１つの動作特性を調整するための手段は、受信信号を復号することにおいて使用されるターボデコーダ反復の数を縮小するための手段を含む、請求項４５に記載のデータモジュール。
【請求項５８】
受信信号の知覚された信号品質、または、各反復の収束、に基づいて、前記縮小された反復の数を決定するための手段、をさらに備えている請求項５７に記載のデータモジュール。
【請求項５９】
１つまたは複数のターゲットコンポーネントの前記少なくとも１つの動作特性を調整するための手段は、前記データモジュールに結合された、または、組み込まれた、汎用プロセッサの１つまたは複数の処理アクティビティを制限するための手段を含む、請求項４５に記載のデータモジュール。
【請求項６０】
前記処理アクティビティの１つまたは複数を制限するための手段は、
マルチメディアアプリケーションの実行をインタラプトするための手段と、
シンプレクスオペレーションにデュプレクストランシーバオペレーションを制限するための手段と、
ダウンリンクアプリケーションと同時にアップリンクアプリケーションの実行を不可能にするための手段と、
の少なくとも１つを含む、請求項５９に記載のデータモジュール。
【請求項６１】
少なくとも２つの動作特性は調整される、請求項４５に記載のデータモジュール。
【請求項６２】
前記動作特性を調整するための手段は、
モデムのアップリンクデータレートまたはダウンリンクデータレートを制限するための手段とパワーアンプの最大送信パワーを制限するための手段、
モデムのダウンリンクデータレートを制限するための手段と関連づけられた無線周波数トランシーバ回路の少なくとも１つの高度受信機機能をディスエイブルにするための手段、
モデムのアップリンクデータレートまたはダウンリンクデータレートを制限し、関連づけられた無線周波数トランシーバ回路の単一受信機に受信ダイバーシティを制限するための手段、及び
一度に単一アップリンクアプリケーションまたはダウンリンクアプリケーションに、関連づけられた無線周波数トランシーバオペレーションを制限し、アップリンク送信パワーを制限するための手段、
の組み合わせのうちの少なくとも１つを含む、請求項６１に記載のデータモジュール。
【請求項６３】
メモリで保存されたサーマル管理パラメータにしたがって調整するために前記サーマル特徴を選択するための手段、をさらに備え、前記サーマル管理パラメータは、前記データモジュールの前記１つまたは複数のサーマル特徴と関連づけられたサーマルモデルを特徴づけ、前記サーマル管理パラメータは、前記データモジュールのユーザによって設定可能である、請求項４５に記載のデータモジュール。
【請求項６４】
前記サーマルモデルは、前記データモジュールの対応する動作特性を調整するための、少なくとも１つの予め決定された時間期間を定義する、請求項６３に記載のデータモジュール。
【請求項６５】
コードを備えるコンピュータ可読媒体であって、前記コードは、プロセッサによって実行されるとき、データモジュールのためのサーマル管理オペレーションを前記プロセッサに実行させ、前記データモジュールは、複数の回路コンポーネントを備え、ワイヤレス通信システムにおいて動作可能であり、前記コンピュータ可読媒体は、
前記回路コンポーネントの１つまたは複数の温度を決定するためのコードと、
前記温度決定に基づいて、前記データモジュールの１つまたは複数のサーマル特性を決定するためのコードと、
前記決定されたサーマル特性に基づいて、前記複数の回路コンポーネントの中の１つまたは複数のターゲットコンポーネントの少なくとも１つの動作特性を調整するためのコードと、
を備える、
コンピュータ可読媒体。
【請求項６６】
前記１つまたは複数の決定されたサーマル特性は、
予め決定された温度範囲における前記データモジュールのオペレーションを示しているサーマルステータスと、
時間にわたる前記データモジュールの温度における変化を示しているサーマル傾きと、
温度における変化に応じてサーマル均衡を達成することと関連づけられたサーマル時間定数と、
のうちの少なくとも１つを含む、請求項６５に記載のコンピュータ可読媒体。
【請求項６７】
１つまたは複数のターゲットコンポーネントの前記少なくとも１つの動作特性を調整するためのコードは、望ましい閾値レベル以下で前記決定されたサーマル特性を保持するためにフィードバック制御ループの一部を形成する、請求項６５に記載のコンピュータ可読媒体。
【請求項６８】
少なくとも１つのサーマル特性は、前記フィードバック制御ループに対してヒステリシスを提供する関連づけられた閾値マージンを有し、前記フィードバック制御ループは、前記決定された特性が前記望ましい閾値に達するまたは超えるとき、前記閾値マージンより下に、前記決定されたサーマル特性を戻す、請求項６７に記載のコンピュータ可読媒体。
【請求項６９】
１つまたは複数のターゲットコンポーネントの前記少なくとも１つの動作特性を調整するためのコードは、情報を変調し復調するためのモデムのピークアップリンクデータレートまたはダウンリンクデータレートを減少させるためのコードを含む、請求項６５に記載のコンピュータ可読媒体。
【請求項７０】
１つまたは複数のターゲットコンポーネントの前記少なくとも１つの動作特性を調整するためのコードは、通信データを処理するために、関連づけられたクロック周波数及び電圧設定を縮小するためのコードをさらに含む、請求項６９に記載のコンピュータ可読媒体。
【請求項７１】
前記データレートを減少させるためのコードは、基地局のために意図された信号品質フィードバック情報を、人工的にバイアスをかけるためのコードを含む、請求項６９に記載のコンピュータ可読媒体。
【請求項７２】
１つまたは複数のターゲットコンポーネントの前記少なくとも１つの動作特性を調整するためのコードは、パワーアンプによって提供されるアップリンク送信パワーを制限するまたは縮小させるためのコードを含む、請求項６５に記載のコンピュータ可読媒体。
【請求項７３】
１つまたは複数のターゲットコンポーネントの前記少なくとも１つの動作特性を調整するためのコードは、
関連づけられた無線周波数トランシーバ回路の受信ダイバーシティを一時的にディスエイブルにするためのコードと、
割り当てられたキャリアのサブセットに、関連づけられた無線周波数トランシーバ回路のマルチキャリアオペレーションを一時的に制限するためのコードと、
のうちの少なくとも１つを含む、請求項６５に記載のコンピュータ可読媒体。
【請求項７４】
各キャリアの知覚された信号品質に応じて、前記割り当てられたキャリアのサブセットを選択するためのコード、をさらに備える請求項７３に記載のコンピュータ可読媒体。
【請求項７５】
１つまたは複数のターゲットコンポーネントの前記少なくとも１つの動作特性を調整するためのコードは、
トランシーバ回路周波数応答の等化と、
干渉キャンセルと、
から選択される少なくとも１つの高度な受信機機能を一時的にディスエイブルにするためのコードを含む、請求項６５に記載のコンピュータ可読媒体。
【請求項７６】
前記ディスエイブルにすることは、よいサービス品質を示している予め決定された閾値よりも信号対雑音比が上であるときのみに実行される、請求項７５に記載のコンピュータ可読媒体。
【請求項７７】
１つまたは複数のターゲットコンポーネントの前記少なくとも１つの動作特性を調整するためのコードは、受信信号を復号することにおいて使用されるターボデコーダ反復の数を縮小するためのコードを含む、請求項６５に記載のコンピュータ可読媒体。
【請求項７８】
受信信号の知覚された信号品質、または、各反復の収束、に基づいて、前記縮小された反復の数を決定するためのコード、をさらに備えている請求項７７に記載のコンピュータ可読媒体。
【請求項７９】
１つまたは複数のターゲットコンポーネントの前記少なくとも１つの動作特性を調整するためのコードは、前記データモジュールに結合された、または、組み込まれた、汎用プロセッサの１つまたは複数の処理アクティビティを制限するためのコードを含む、請求項６５に記載のコンピュータ可読媒体。
【請求項８０】
前記処理アクティビティの１つまたは複数を制限するためのコードは、
マルチメディアアプリケーションの実行をインタラプトするためのコード、
シンプレクスオペレーションにデュプレクストランシーバオペレーションを制限するためのコードと、
ダウンリンクアプリケーションと同時にアップリンクアプリケーションの実行を不可能にするためのコードと、
の少なくとも１つを含む、請求項７９に記載のコンピュータ可読媒体。
【請求項８１】
少なくとも２つの動作特性は調整される、請求項６５に記載のコンピュータ可読媒体。
【請求項８２】
前記動作特性を調整するためのコードは、
モデムのアップリンクデータレートまたはダウンリンクデータレートを制限するためのコードと、パワーアンプの最大送信パワーを制限するためのコード、
モデムのダウンリンクデータレートを制限するためのコードと、関連づけられた無線周波数トランシーバ回路の少なくとも１つの高度受信機機能をディスエイブルにするためのコード、
モデムのアップリンクデータレートまたはダウンリンクデータレートを制限し、関連づけられた無線周波数トランシーバ回路の単一受信機に受信ダイバーシティを制限するためのコード、及び
一度に単一アップリンクアプリケーションまたはダウンリンクアプリケーションに、関連づけられた無線周波数トランシーバオペレーションを制限し、アップリンク送信パワーを制限するためのコード、
の組み合わせのうちの少なくとも１つを含む、請求項８１に記載のコンピュータ可読媒体。
【請求項８３】
メモリで保存されたサーマル管理パラメータにしたがって調整するために前記サーマル特徴を選択するためのコード、をさらに備え、前記サーマル管理パラメータは、前記データモジュールの前記１つまたは複数のサーマル特徴と関連づけられたサーマルモデルを特徴づけ、前記サーマル管理パラメータは、前記データモジュールのユーザによって設定可能である、請求項６５に記載のコンピュータ可読媒体。
【請求項８４】
前記サーマルモデルは、前記データモジュールの対応する動作特性を調整するための、少なくとも１つの予め決定された時間期間を定義する、請求項８３に記載のコンピュータ可読媒体。
【発明の詳細な説明】
【優先権主張】
【０００１】
(米国特許法の下の優先権主張)
本願は、２００８年５月２３日に出願され、「ユーザ機器におけるサーマル管理のための方法及び装置("Methods and Apparatuses for Thermal Management in User Equipment")」と題された、仮出願第６１／０５５，８７１号の優先権を主張し、そしてそれは、ここでの譲受人に対して譲渡され、参照によってここに明示的に組み込まれている。
【背景】
【０００２】
（発明の分野）
本開示は、一般的には、回路(circuits)に関し、より具体的には、データモジュールのサーマル管理のための、技術、システム、及び方法に関する。
【０００３】
（関連背景）
データモジュール(例、埋め込まれたデータカード、ＵＳＢドングル(USB dongles)等)は、一般的にはハンドセット（例、セル電話）よりも小さいので、データモジュールは、ハンドセットと比べて、より小さい表面積とより小さいサーマルマス(less thermal mass)を有する。さらに、相対的に高いデータレートは、データモジュールによってサポートされており、さらなる処理パワーを必要とする。結果、データモジュールデバイスは、最大パワー散逸(maximum power dissipation)がデバイスのフォームファクタ(form factor)によって一般的に限定されると、非常に熱くなりうる。すなわち、データモジュールは、サーマル必要条件(thermal requirements)を満たすために、ある最小の表面積を有する必要がある。あるいは、データモジュールは、アクティブなクーリングメカニズム(cooling mechanism)(例、ヒートシンク、ファンなど)を求めることができる。しかしながら、アクティブなクーリングメカニズムは、さらなる場所を取り(consume additional space)、デバイスにコストと複雑性(complexity)の両方を加える。したがって、アクティブなクーリングメカニズムのない小さなフォームファクタデータモジュールが望ましい。
【０００４】
アクティブなクーリングのないいくつかのデータモジュールは、最大送信パワーを単に制限すること、あるいは、同等に、デバイスのパワークラス(power class)を低下させること、によってこの問題を対処している。しかしながら、このアプローチは、アップリンクデータレートを低下させる可能性がある。例えば、初期のＥＤＧＥデータモジュールは、デバイスのマルチスロットクラス(multi-slot class)を制限し、そして、それは、最大数の送信スロットを制限していた。このアプローチは、望ましくない方法でアップリンクデータレートを低下させる傾向があった。
【発明の概要】
【０００５】
本発明の例示的な実施形態は、データモジュールのサーマル管理のためのシステム及び方法を対象としており、それは、許容レベル(acceptable level)でサーマル条件を維持することに役立つ。
【０００６】
一実施形態は、ワイヤレス通信システムにおいて操作可能なデータモジュールを対象とする。データモジュールは、複数の回路コンポーネント、１つまたは複数の温度センサ(temperature sensors)、そしてサーマル管理ユニット(thermal management unit)を備える。温度センサは、対応する回路コンポーネントの温度を決定するように構成される。サーマル管理ユニットは、温度決定に基づいてデータモジュールの１つまたは複数のサーマル特性(thermal characteristics)を決定するように、そして、その決定されたサーマル特性に基づいてターゲットコンポーネントの対応する動作特性を調整するかどうかを示している１つまたは複数のパワー制御ポイント信号(power control point signals)を生成するように、構成されている。
【０００７】
別の実施形態は、複数の回路コンポーネントを備え、ワイヤレス通信システムにおいて操作可能な、データモジュールのサーマル管理のための方法を対象とする。方法は、回路コンポーネントの１つまたは複数の温度を決定することと、その温度決定に基づいてデータモジュールの１つまたは複数のサーマル特性を決定することと、そして、その決定されたサーマル特性に基づいて複数の回路コンポーネントの中の１つまたは複数のターゲットコンポーネントのうちの少なくとも１つの動作特性を調整することと、を備えている。
【０００８】
別の実施形態は、ワイヤレス通信システムにおいて操作可能なデータモジュールを対象とする。データモジュールは、複数の回路コンポーネントと、回路コンポーネントのうちの１つまたは複数の温度を決定するための手段と、その温度決定に基づいてデータモジュールの１つまたは複数のサーマル特性を決定するための手段と、そして、その決定されたサーマル特性に基づいて複数の回路コンポーネントの中の１つまたは複数のターゲットコンポーネントの少なくとも１つの動作特性を調整するための手段と、を備える。
【０００９】
別の実施形態は、コードを備えているコンピュータ可読媒体(computer readable medium)を対象としており、該コードは、プロセッサによって実行されるとき、データモジュールのためのサーマル管理オペレーションをプロセッサに実行させ、該データモジュールは、複数の回路コンポーネントを備え、ワイヤレス通信システムにおいて動作可能である。コンピュータ可読媒体は、回路コンポーネントのうちの１つまたは複数の温度を決定するためのコードと、その温度決定に基づいてデータモジュールの１つまたは複数のサーマル特性を決定するためのコードと、その決定されたサーマル特性に基づいて複数の回路コンポーネントの中の１つまたは複数のターゲットコンポーネントの少なくとも１つの動作特性を調整するためのコードと、を備える。
【００１０】
添付図面は、本発明の実施形態の説明を助けるために提示されており、また、単に本実施形態の説明のために提供されており、限定するように提供されていない。
【図面の簡単な説明】
【００１１】
【図１】図１は、本発明の実施形態にしたがった、ワイヤレス通信システムにおいて動作可能なデータモジュールを図示する。
【図２】図２は、本発明の実施形態にしたがった、データモジュールのサーマル管理のための方法を図示するフローチャートである。
【図３】図３は、本発明の実施形態にしたがった、モデムの動作特性を調整することを図示する。
【図４】図４は、本発明の実施形態にしたがった、パワーアンプの動作特性を調整することを図示する。
【図５】図５は、本発明の実施形態にしたがった、ＲＦ回路の動作特性を調整することを図示する。
【図６】図６は、本発明の実施形態にしたがった、デコーダの動作特性を調整することを図示する。
【図７】図７は、本発明の実施形態にしたがった、関連づけられた汎用プロセッサの動作特性を調整することを図示する。
【詳細な説明】
【００１２】
本発明の態様は、本発明の具体的な実施形態を対象とし、下記の説明と関連図面で開示されている。代替の実施形態は、本発明の範囲から逸脱することなく考えられることができる。さらに、本発明のよく知られた構成要素は、本発明の関連する細部を不明瞭にしないために、詳細に説明されていない、また、省略されている。
【００１３】
用語「例示的な(exemplary)」は、「例(example)、インスタンス(instance)、又は例証(illustration)として機能している」を意味するように、ここでは使用されている。ここにおいて記載されている「例示的な(exemplary)」は、他の実施形態よりも、好ましいまたは有利であるものとして、必ずしも解釈されるべきではない。同様に、用語「本発明の実施形態(embodiments of the invention)」は、本発明のすべての実施形態が説明された特徴、利点、またはオペレーションのモードを含むことを必要としない。ここにおいて使用されるような用語データモジュールは、例えば回路配列(circuit arrangement)を組み込んでいるいずれのデバイス（例、ハンドセット）に加え、ワイヤレスネットワークにおいてデータを送受信することができるいずれの回路配列も含んでいるものとして解釈されるように意味されている。
【００１４】
ここにおいて使用される用語は、具体的な実施形態を説明するだけであり、本発明の実施形態を限定することを意図していない。ここにおいて使用されているように、単数形「a」、「an」及び「the」は、文脈で明らかに示されていない限り、複数形も含むように意図されている。用語「備える(comprises)」、「備えている(comprising)」、「含む(includes)」、及び／または、「含んでいる(including)」は、ここにおいて使用されるとき、述べられた特徴、整数(integers)、ステップ、オペレーション、構成要素、及び／または、コンポーネントの存在を規定するが、１つまたは複数の他の特徴、整数、ステップ、オペレーション、構成要素、コンポーネント、及び／または、そのグループの存在または追加を除外するものではない、ということはさらに理解されるであろう。
【００１５】
さらに、多くの実施形態は、例えばコンピューティングデバイスの構成要素によって実行されるべき動作のシーケンスの観点から説明されている。ここにおいて説明される様々な動作は、特定回路（例、特定用途向け集積回路(ＡＳＩＣ)）によって、１つまたは複数のプロセッサによって実行されているプログラム命令によって、または、それらの両方の組み合わせによって、実行されることができるということは理解されるであろう。さらに、ここにおいて説明されるこれらの動作のシーケンスは、ここにおいて説明される機能を関連プロセッサに実施のときに実行させる対応するセットのコンピュータ命令を保存しているコンピュータ可読記憶媒体のいずれの形態内で全体的に具現化されることが考えられる。したがって、本発明の様々な態様は、多数の異なる形態で具現化されてもよく、それらのすべては、特許請求された主題の事柄の範囲内にあるように考えられている。さらに、ここにおいて説明されている本実施形態のそれぞれに関しては、いずれのそのような実施形態の対応する形態は、例えば、説明された動作を実行する「ように構成された論理(logic configured to)」としてここにおいて説明されている。
【００１６】
背景で説明されているように、アクティブなクーリングなしのデータモジュールは、高温及び関連問題に特に影響を受けやすい可能性がある。したがって、本開示は、データモジュールのサーマル特性をモニタし、認容レベル内でそれらのサーマル特性をアクティブに維持する技術を提供する。閉ループフィードバックメカニズムは、温度をモニタし、正常に(gracefully)性能を制限し温度を抑制するために、使用される。
【００１７】
図１は、本発明の実施形態にしたがった、ワイヤレス通信システムにおいて動作可能なデータモジュールを図示する。
【００１８】
示されているように、データモジュール１００は、パワーアンプ１１０ａ、デコーダ１１０ｂ、モデムデバイス１１０ｃ、ＲＦ回路１１０ｄ、すべての構成コンポーネントを収容する外部ケース１１０ｅ（集約的には、データモジュールコンポーネント１１０を指す）、対応する温度センサ１２０ａ−１２０ｅ（集約的には、温度センサ１２０を指す）、そしてサーマル管理ユニット（ＴＭＵ）１５０を含む。
【００１９】
一般に、温度センサ１２０は、対応するデータモジュールコンポーネント１１０の温度を決定する。ＴＭＵ１５０は、温度決定に基づいて、データモジュール１００のサーマル特性を決定する。ＴＭＵ１５０は、データモジュール１００の決定されたサーマル特性に基づいて、各コンポーネントの動作特性を調整するかどうかを示すパワー制御ポイント信号を生成する。
【００２０】
図１の特定回路コンポーネント１１０は、説明の目的だけのために示されており、また、実際の数のコンポーネントまたはコンポーネント自体はアプリケーションによって異なってもよいということは理解されるであろう。例えば、他の回路コンポーネントは、マイクロプロセッサ、様々なメモリ、バスコントローラ、等を含むことができる。図１のスタンドアロンＴＭＵ１５０は、汎用プロセッサの一部として代替的に利用されることができるということは理解されるであろう。
【００２１】
サーマル特性(Thermal Characteristics)
図１に戻って参照すると、１つまたは複数の温度センサ１２０は、データモジュール１００のリアルタイム環境を測定する(gauge)ために利用されることができる。例えば、回路コンポーネントの温度を測定することができる1つのデバイスは、サーミスタ(thermistor)である。他の実施形態では、システムのためのサーマルインジケータを検出することまたは測定することができる他のセンサが利用されている。他の例示的なセンサは、限定はされていないが、絶対温度比例(Proportional to Absolute Temperature)(ＰＴＡＴ)センサとリング発振器(ring oscillators)を含む。サーミスタのような温度センサに命令することに加えて、温度センサ１２０の１つまたは複数は、対応するコンポーネント１１０によって消費された電流の機能として温度を間接的に測定する、電流モニタ（current monitor）を含むことができる。例えば、パワーアンプ１１０ａは、電流消費に基づいてよく知られたサーマル特性を有することができ、したがって、温度センサ１２０ａとして温度を間接的に測定するために電流モニタを使用することは望ましい可能性がある。ここにおいて開示された実施形態では、サーミスタあるいは同様なデバイスは、データモジュール全体にわたって温度を調整する(regulating)ことにおいて、パワー消費の包括的制御(global control)に使用される。本開示においてより詳細に説明されているように、包括的制御は、ＴＭＵ１５０を介してデータモジュール１００の温度調整を達成するために、様々な回路コンポーネント１１０（例、パワーアンプ、デコーダモデムデバイス、ＲＦ回路、等）のモニタリングと制御の組み合わせを含むことができる。
【００２２】
温度読み取り値(temperature readings)１３０（温度決定値とも呼ばれる）は、システムのサーマル特性を決定するために使用される。例えば、いくつかの実施形態では、最高温度読み取り値を備えたコンポーネント１１０は、臨界システム温度(critical system temperature)として取られ、システムのサーマル特性を決定することにおいて使用される。他の実施形態では、２以上のコンポーネント１１０の温度読み取り値は、システムのサーマル特性を決定することにおいてアグリゲートされる。例示的なサーマル特性は、限定されてはいないが、データモジュール１００のサーマルステータス(Thermal Status)と、データモジュール１００のサーマル傾き(Thermal Slope)と、データモジュール１００のサーマル時間定数(Thermal Time Constant)と、を含んでおり、それらのそれぞれは、下記でより詳細に説明されている。
【００２３】
ここにおいて使用されるサーマルステータスは、データモジュール１００が動作することができる、予め決定されたオペレーションのゾーン、または、予め決定された温度の範囲のヒエラルキを指す。一実施形態では、オペレーションの３つのゾーンは、ノミナル(nominal)、レッド(red)、また緊急(emergency)と定義される。オペレーションのノミナルゾーンは、第１の温度（例、約−２０°Ｃ）と第２の温度（例、約５０°Ｃ）との間のオペレーションのために定義される。オペレーションのレッドゾーンは、第２の温度（例、約５０°Ｃ）と第３の温度（例、約７０°Ｃ）との間のオペレーションのために定義される。オペレーションのレッドゾーンでは、ユーザは、デバイスが触るのに熱いということを感じることができる。オペレーションの緊急ゾーンは、第３の温度よりも上の任意の温度（例、約７０°Ｃを超過する）であってもよく、デバイスは、温度が上昇し続ける場合には失敗の影響を受けやすい可能性があり、または、与えられたサーマル必要要件（例、第３者または外部の必要要件）を超過する危険な状態に置かれうる。
【００２４】
ここに使用されるようなサーマル傾きは、時間にわたるデータモジュール１００の温度における変化を指す。例えば、サーマル傾きは、横軸上で時間の関数として、縦軸上で温度のプロットとして表わされることができる。サーマル傾きは、サーマル傾向(thermal trend)を予測する、または、説明するために利用されることができる。例えば、次の数秒から次の数分における今後の温度は、推定されることができる(can be extrapolated)、または、そうでない場合には、サーマル傾きを使用することによって決定される。
【００２５】
ここにおいて使用されているサーマル時間定数は、どのようにデバイスがヒートアップしある時間の量で安定状態に到達するかを指す。サーマル時間定数は、サーマルグラジエント(thermal gradient)に対しデバイスはどれくらい影響を受けやすいかというインジケータである。一実施形態では、サーマル時間定数は、ｅｘｐ（（１／サーマル時間定数）＊ｔ）の指数関数的なサーマルモデルの形で使用される。したがって、サーマル時間定数は、どのようにデバイスが温度変化に応答するか、または、温度変化に反応するか、という測定値を一般的に示す。
【００２６】
いくつかの実施形態では、サーマル特性は、データモジュール１００の予め決定されるサーマルモデルに関して使用される。予め決定されるサーマルモデルは、どのようにデータモジュール１１０が温度変化に対応するかを示している、デバイスオペレーションの前に実行される、システムのサーマル特性化(characterization)から導出されることができる。他の実施形態では、デバイスは履歴(history)を読む温度に基づいたオペレーションの間に、そのサーマルモデル特性を決定するように、または、適応させるように、構成されることができる。例えば、各温度センサ１２０の履歴データは、保存され、そして、データモジュール１００のサーマル傾き及び／またはサーマル時間定数を導出するために、使用されることができる。いずれの場合においても、動的または予め決定されたサーマルモデルは、望ましい温度設計ガイドラインにしたがって、サーマル特性と関連づけられた、閾値、マージンなどを設定するために使用される。
【００２７】
システムの全体的なサーマル特性の多くの測定基準(gauge)が使用されることができ、上記のリストは、包括的であると考えられないということは理解されるであろう。
【００２８】
データモジュール・オペレーション調整（Data Module Operation Adjustments）
システムの決定されたサーマル特性（例、データモジュール）に基づいて、ＴＭＵ１５０は、データモジュール１００を認容可能なオペレーティングポイントに戻す動作を必要とする、サーマルイベントが生じたか（例、サーマルステータスに基づいて）または、生じるか（例、サーマル傾き及び／またはサーマル時間定数に基づいて）を検出する。サーマルイベントが検出される場合には、ＴＭＵ１５０は、認容レベル以下で、データモジュール１００のサーマル特性を維持するために、リアルタイムで、データモジュールのオペレーションを調整する。データモジュール１００の動作特性を調整するために、ＴＭＵ１５０は、各コンポーネント１１０の特定の動作特性を調整するかどうかを示している対応するデータモジュールコンポーネント１１０のためのパワー制御ポイント信号を生成する。コンポーネントがシステムのサーマル特性（例、外部ケース(external case)１１０ｅ）を決定することに寄与するにも関らず、必ずしもすべてのコンポーネント１１０は、パワー制御信号を実際に受信しないということが理解されるであろう。
【００２９】
いくつかの実施形態では、サーマルイベントが検出されるとき、ＴＭＵ１５０は、モデム１１０ｃの動作特性を調整する。
【００３０】
例えば、ＴＭＵ１５０は、モデム１１０ｃのピークアップリンクデータレートを減少させることができ、利用可能な送信パワーの全範囲を制限することなく送信パワーを縮小させることをイネーブルにする。また、減らされたアップリンクデータレートは、送信のためのデータパケットを構築することにおいて、消費されたパワーを縮小する。一実施形態では、アップリンクデータレートは、半分に減らされ、そして、基地局のアップリンク受信機において同じ信号対雑音比（ＳＮＲ）を維持しながら、送信パワーが３ｄＢだけ減らされることを可能にする。別の実施形態では、ピークアップリンクデータレートは、約５．６Ｍｂｐｓから約１．８Ｍｂｐｓにさらに減少され、約１００ｍＷだけパワー消費を縮小する。
【００３１】
縮小されたデータレートで動作するとき、ＴＭＵ１５０はまた、モデム１１０ｃ及び／または他のトランシーバ処理回路（例、対応するプロセッサ、データバス、メモリ、メモリコントローラ等）に、関連づけられたクロック周波数及び電圧設定を縮小するように、命令することができる。一般に、パワー消費量（すなわち、熱生成(heat generation)）は、電圧と指数関数的に(exponentially with voltage)、そしてクロック周波数と線形的に(linearly with clock frequency)、スケーリングする(scales)。したがって、クロック／電圧設定における縮小は、データモジュール１００のサーマル特性を認容レベルに戻すことを助けることができる。さらに、縮小されたデータレートと共に使用される時、クロック／電圧設定を縮小することは、性能をさらに制限することなくパワー消費をさらに縮小する。それは、縮小されたデータレートは、オリジナルの、より高いデータレートと同じレベルの処理パワーを必要としないためである。与えられたデータレートについての適切なクロック／電圧設定は、アプリケーション特有であってもよく、例えば、ルックアップテーブルにおいて保存されることができる。ＴＭＵ１５０は、サーマルステータスがノーマルゾーンに戻るまで、ピークアップリンクデータレート及び／または対応するクロック／電圧設定をそれらの縮小レベルで維持することができる。例えば、ＴＭＵ１５０は、効果をあらわすために、そのプロシージャについての予め決定された時間期間、待機することができ、ノーマルオペレーションが再開されることができるか(can be resumed)を決定するために、サーマル特性を再度チェックする。予め決定された時間期間は、デバイスの計算されたサーマル時間定数に基づくことができる。
【００３２】
ＴＭＵ１５０はまた、ピークダウンリンクデータレートを減少させることができる。単純な設計では、モデム１１０ｃは、与えられた閾値より上のデータレートで受信されるいずれのパケットも復調することを単に拒絶する。他の設計では、減少したピークダウンリンクレートは、基地局を用いた調整を通じて達成される。例えば、一実施形態では、ハンドセットは、縮小された呼び出し設定を使用して、基地局とそれ自体を再度レジスタする。別の実施形態では、ハンドセットは、アクティブな呼び出しの間に、直接的にまたは間接的に、基地局と再度ネゴシエートする。例えば、ハンドセットは、信号受信のより低い品質を模倣する(imitate)ために、信号品質フィードバック情報（例、ＳＮＲ、チャネル品質インジケータ（ＣＱＩ）、データレート制御（ＤＲＣ）等）に人工的にバイアスをかけることができる。人工的に悪い信号条件(artificially poor signal condition)を基地局に報告することによって、基地局は、ハンドセットに割り付けられたデータレートを引き続いて縮小し、その縮小されたレート以下でパケットを送信することを始めるべきである。一実施形態では、ピークダウンリンクデータレートは、約２８．８Ｍｂｐｓから約３．６Ｍｂｐｓにこの技術を使用して減少されてもよく、約１１０ｍＷだけパワー消費を縮小する。
【００３３】
アップリンクデータレート縮小に関しての上述と同様、縮小されたダウンリンクデータレートで動作するとき、ＴＭＵ１５０はまた、関連づけられたクロック周波数及び電圧設定を縮小するように、モデム１１０ｃ及び／または他のトランシーバ処理回路（例、対応するプロセッサ、データバス、メモリ、メモリコントローラ、等）に命令することができる。再び、パワー消費量（すなわち、熱生成）は、一般的に、電圧と指数関数的に、クロック周波数と線形的に、スケーリングする。したがって、クロック／電圧設定における縮小は、データモジュール１００のサーマル特性を認容レベルに戻すことを助けることができる。さらに、縮小されたデータレートと共に使用された時、クロック／電圧設定を縮小することは、性能をさらに制限することなく、さらにパワー消費を縮小する。それは、縮小されたデータレートは、オリジナルの、より高いデータレートと同じレベルの処理パワーを必要としないためである。与えられたデータレートについての適切なクロック／電圧設定は、アプリケーション特有であってもよく、例えばルックアップテーブルにおいて保存されることができる。
【００３４】
ＴＭＵ１５０は、サーマルステータスがノーマルゾーンに戻るまで、ピークダウンリンクデータレート、及び／または、クロック／電圧の設定を、それらの縮小されたレベルで維持することができる。例えば、ＴＭＵ１５０は、効果をあらわすために、そのプロシージャについて予め決定された時間期間、待機し、そして、ノーマルオペレーションが再開されるかを決定するためにサーマル特性を再度チェックすることができる。予め決定された時間期間は、デバイスの計算されたサーマル時間定数に基づくことができる。
【００３５】
いくつかの実施形態では、サーマルイベントが検出されるとき、ＴＭＵ１５０は、ＲＦ回路１１０ｄの動作ポイントを調整する。
【００３６】
例えば、ＴＭＵ１５０は、受信ダイバーシティを一時的にディスエイブルにすることができる。一実施形態では、受信ダイバーシティ回路／特徴は、ディスエイブルにされ、単一受信チェインが、使用され、約５０ｍＷ節約する。単一受信機オペレーションの時間期間は、データモジュール１００のサーマル特性における十分な改善を示している温度センサ１２０からのリアルタイム温度測定値に基づくことができる（例、サーマルステータスがノーマルゾーンに戻るまで）。例えば、システムのサーマル特性の測定および計算は、予め決定されたサーマルモデルにしたがって（例、サーマル時間定数を使用して）、周期的に実行されることができる。いったんサーマル特性が認容レベルに戻ることが決定されると、ノーマルオペレーションは再開することができる。
【００３７】
いくつかの実施形態では、ＲＦ回路１１０ｄは、ハンドセットが基地局によって１以上のキャリアを同時に割り当てられる、マルチキャリアオペレーションを活用することができる。ここでは、ＴＭＵ１５０はまた、単一キャリアまたは縮小された数のキャリアにオペレーションを制限することによって、マルチキャリアオペレーションを一時的にディスエイブルにすることができる。例えば、選択されたキャリアは、基地局との調整を通じてドロップされることができる(may be dropped)。一実施形態では、選択されたキャリアは、最も悪いＳＮＲ値または同様なものを備えたものである。本技術は、上記で説明された受信ダイバーシティ縮小を受信する同様な利益を提供する。
【００３８】
ＴＭＵ１５０はまた、イコライザ、または干渉キャンセル特徴のような、インテンシブに処理している他の高度な受信機技術を一時的にディスエイブルにすることができる。高度な受信機技術をディスエイブルにすることは、より低いサーマルプロファイル(thermal profile)と動作環境の観点から、ある条件の下では有利であることができる。一実施形態では、イコライザ回路（図示されず）または干渉キャンセル回路（図示されず）は、サーマルステータスがノーマルゾーンに戻るまで、シンプルレイキ受信機オペレーションを開始することによって、ＲＦ回路１１０ｄでディスエイブルにされる。サーマルステータスがノーマルゾーンに戻ったかどうかは、フィードバック制御ループの一部として周期的に（例えば、予め決定されたサーマルモデルに基づいて）測定されることができる。別の実施形態では、ＳＮＲが予め決定された閾値よりも上であるとき、１つまたは複数の高度な受信機技術をディスエイブルにするメカニズムが提供されており、高度受信機技術は本質的ではないという、よいサービスの品質を示す。ここでは、ＳＮＲが十分であるので、これらの拡張機能(advanced features)をディスエイブルにすることからの相対的にマイナーな性能劣化のみがありうる。高度な受信機技術の使用を取り除くような特徴を一時的にディスエイブルにすることは、パワーを節約するために、望ましい温度またはサーマル特性を低下させるまたは維持させるために、または、両方の目的のために、利用されることができるということが理解されるであろう。
【００３９】
いくつかの実施形態では、サーマルイベントが検出されるとき、ＴＭＵ１５０は、デコーダ１１０ｂの動作ポイントを調整する。
【００４０】
例えば、デコーダ１１０ｂがターボ復号を利用する実施形態では、ターボ復号の反復の数は縮小され、あるいは、ターボ復号は完全に停止される。例えば、復号の８つの反復を実行するために予め設定された典型的なターボデコーダでは、反復の数は、およそ５つにスケーリングバックされることができる。代替的に、縮小された反復の数は、知覚されたＳＮＲ(perceived SNR)、または、各反復の相対的な収束を示しているフィードバック制御ループ、に基づくことができる。
【００４１】
いくつかの実施形態では、サーマルイベントが検出されるとき、ＴＭＵ１５０は、パワーアンプ１１０ａの動作ポイントを調整する。
【００４２】
例えば、ＴＭＵ１５０は、パワーアンプ１１０ａによって提供されるアップリンク送信パワーを直接制限することができる。一実施形態では、デバイスのパワークラスを一時的に低下させることは、パワーアンプ１１０ａの最大出力送信パワーを縮小することによって実行される。本技術は、潜在的に数百ｍＷを節約することができる。一実施形態では、サーマル特性が認容レベルに戻るまで、または、予め決定された持続時間の間（例、タイマーによって設定された持続時間）、送信パワー制限が適用される。この持続時間の後で、パワー制限は解除され(lifted)、それによって、縮小されたアップリンク性能の予め決定された時間の量（例、数秒）の後で、フル送信パワーに戻ることをイネーブルにする。
【００４３】
ＴＭＵ１５０が汎用プロセッサ（例、ハンドセットプロセッサ）に結合される、あるいは、組み込まれる場合、いくつかの実施形態では、ＴＭＵ１５０は、プロセッサの動作ポイントを調整する。
【００４４】
例えば、ＴＭＵ１５０は、他の処理アクティビティ(other processing activities)、例えばデバイス上で実行する他のアプリケーション、を制限することができる。これらのアプリケーションは、ゲーミングアプリケーション、ビデオアプリケーションなどのようなマルチメディアアプリケーションを含むことができる。一実施形態では、ＴＭＵ１５０は、トランシーバオペレーションを実質的にシンプレクスモードに制限する。ここで、トランシーバルール(transceiver rules)は、このモードに入るために、確立され実行される。例えば、ダウンリンクアプリケーション（例、ストリーミングビデオアプリケーション）と同時に(concurrently with)、または、一斉に(simultaneously with)、アップリンクアプリケーション（例、ファイルトランスファアプリケーション）の実行を不可能にするルールが実施されることができる。
【００４５】
いくつかの設計では、１つまたは複数のサーマル特性閾値に閾値マージンを適用することによって、サーマル管理技術にヒステリシスのレベル(a level of hysteresis)を提供することが望ましいので、データモジュール１００は、ノーマルオペレーションと縮小されたオペレーションの間で、頻繁に、サイクリングすることを防ぐ。例えば、各上部サーマルステータスゾーン（例えば、レッドゾーンおよび緊急ゾーン）は、関連づけられた閾値マージンを有することができる。いったん、サーマルイベントが検出され、望ましいサーマル管理プロシージャが開始されると、それらのプロシージャは、サーマルステータスが、関連づけられた閾値（例、レッドゾーン閾値）より下だけでなく、さらに、閾値マージンより下に、戻るまで、実行される。一般的には、より大きなサーマル時間定数（例、より大きなサーマルマスを有する）を備えたデータモジュール１００は、サーマルイベントを再トリガするのに長くかかり、したがって、より小さい閾値マージンを割り当てられる。７０°Ｃに設定された温度閾値を備えた一実施形態では、例えば、関連づけられたマージンは、約８°Ｃに設定されることができる。したがって、いったんサーマルイベントが、この実施形態においてトリガされると、温度は、ノーマルオペレーションに戻る前に、６２°Ｃよりも少なく縮小される必要がある。このことは、後続サーマルイベントがノーマルオペレーションに戻った直後にトリガされないということ、そして、そのようなオン／オフ性能のサイクルは、普及していない(not pervasive)ということを確実にすることを役立つ。一実施形態では、閾値のマージンは、データモジュール１００のサーマル時間定数に基づいて決定される。
【００４６】
極端な場合には、サーマルイベントは、訂正するためによりドラスティックな動作を必要とするサーマル緊急事態に導く可能性がある。例えば、サーマル・ランアウェイ(thermal runaway)のイベントでは、ＴＭＵ１５０は、１つまたは複数の特徴の完全なシャットダウン、または、全体的に全デバイスのシャットダウン、を命令することができる。
【００４７】
サーマル管理技術の組み合わせ（Combination of Thermal Management Techniques）
上述されたサーマル管理技術のいくつかは、高温シチュエーションに対してより有力なサーマル応答を達成するために、一緒に使用されることができる。例えば、一実施形態では、ダウンリンクデータレートを制限することは、最大送信パワーを、制限すること、または、デューティサイクリングすることに関連して利用される。別の実施形態では、ダウンリンクデータレートを制限することは、他の高度な受信機技術をディスエイブルにすることに関連して使用される。別の実施形態では、デュアル受信ダイバーシティを単一ＲＦチェインに制限することは、ダウンリンクデータレートを制限することと同時に使用される。別の実施形態で、デュアル受信ダイバーシティを制限することは、アップリンク送信機パワー及び／またはデータレートを制限することと同時に利用される。別の実施形態では、トランシーバオペレーションを単一アップリンクまたはダウンリンクアプリケーションに一度に制限することは、アップリンク送信機パワーを制限することと同時に利用されることができる。ここにおいて提供されるサーマル管理技術の他の組み合わせもまた同様に可能であり、上位リストは、包括的なもの(exhaustive)であると考えられないということは理解されるであろう。サーマル管理技術の特定の組み合わせはアプリケーション特有であり、アドレスされているサーマルイベントの重大度(severity)にさらに依存する。
【００４８】
設定可能パラメータ（Configurable Parameters）
ここにおいて説明されているサーマル管理技術を組込んでいるデータモジュールは、広範囲のユーザ機器アプリケーション（例、ハンドセット、スマートフォン、ＰＤＡ、ラップトップに組み込まれたデータカード、ラップトップに、ユーザ機器における１つまたは複数の特定の集積回路の外にあるデータカード、モデムチップ、ワイヤレス通信チップ、ワイヤレス通信チップセット、他の集積回路）に適用されることができる。したがって、いくつかの実施形態では、様々なサーマル管理パラメータは、ユーザ、システム設計者、製造業者、カスタマなど(以下、簡略化のために「ユーザ」と呼ぶ)によって有利に設定されることが可能であり、そして、後続アクセスのためにメモリ（例、不揮発性ランダムアクセスメモリ）において保存される。
【００４９】
例えば、一実施形態では、ユーザは、アプリケーションの必要条件に適する、サーマル管理の個々の技術を、保存されたパラメータを通じて、選択的にイネーブル/ディスエイブルにすることができる。さらなる実施形態では、ユーザは、望ましいアプリケーション(例、サーマル及びパワーサプライレイルの制限のための最大パワー消費条件(the maximum power consumption conditions for thermal and power supply rail limitations))に適合させるために、各サーマル管理技術のパラメータをチューニングすることができる。
【００５０】
さらなる実施形態では、ユーザ提供された設定は、タイマ値および温度閾値のような他のアルゴリズムのパラメータを定義する予め決定されたサーマルモデルを設定するために使用される。各アプリケーションのために使用されるサーマルモデルは、大きさ(dimensions)およびデータモジュールのフォームファクタの他の物理特性、のような複数のシステムパラメータを含むことができる。一例では、アップリンク送信パワーを一時的に制限するためのタイマ値は、設定可能なサービス品質（ＱｏＳ）パラメータ（例、ハンドセットのようなユーザ機器へとデータモジュールを組み込んでいるユーザによって設定可能である）に基づいている。
【００５１】
さらなる実施形態では、ユーザ提供される設定(user provided configuration)は、オーバーヒートのようなサーマル問題に対するデバイスの感受性(susceptibility)（例、サーマル時間定数）を評価するために、サーマル負荷(thermal loads)の下、デバイスの実際のセンサ測定値と組み合わせられる。センサ測定値を使用することは、外の大気温度(external ambient temperature)における変化を説明するために継続することができ、そしてそれは、例えば、デバイスのサーマルビヘービア(thermal behavior)に影響を与えることができる。このよりリアルタイムな、アプリケーション特有感受性レーティング(real-time, application specific susceptibility rating)に基づいて、ＴＭＵ１５０は、ここに提供されるサーマル管理技術を適用することがより可能である。
【００５２】
このように、サーマル分析は、様々なプラットフォーム、アプリケーション、デバイス、リアルタイム条件などにわたってより適切なサーマル管理をイネーブルにするために、ユーザ設定パラメータと共に使用され、予め選択され、そしてメモリに保存されることができる。
【００５３】
前述のサーマル管理技術、プロシージャ、およびオペレーションは、データモジュールのサーマル管理のための方法においてさらに具現化されることができる。例えば、図２は、本発明の実施形態にしたがったデータモジュールのサーマル管理のための方法を説明するフローチャートである。示されているように、いずれの予め保存された設定パラメータ(pre-stored configuration parameters)、例えばユーザまたは別のものによって設定されるものは、メモリから最初にロードされる（ブロック２１０）。１つまたは複数の温度センサは、対応する回路コンポーネント（例、図１のコンポーネント１１０）の温度を決定するために使用される（ブロック２２０）。その温度決定から、サーマル管理ユニット（例、図１のＴＭＵ１５０）は、データモジュールの１つまたは複数のサーマル特徴（例えばサーマルステータス、サーマル傾き、サーマル時間定数）を決定する（ブロック２３０）。サーマル管理ユニットは、サーマルイベントがさらなる動作を必要として生じたかどうか確かめるためにサーマル特性をチェックする（ブロック２４０）。サーマルイベントが生じなかった場合には、処理は、様々なコンポーネントの様々な温度を測定することに戻る（例、時間の予め決定された期間の後で）（ブロック２２０）。サーマルイベントが実際に生じた場合（例、サーマルステータスは、レッドゾーンにある）、サーマル管理ユニットは、上述されたサーマル管理技術またはそれらの技術の組み合わせを使用して、様々な回路コンポーネントの１つまたは複数の動作特性を調整する（ブロック２５０）。望ましいサーマル管理技術は、予め決定された時間期間（例えば、決定されたサーマル時間定数に基づいている）について提供されており（ブロック２６０）、処理は、様々なコンポーネントの様々な温度を測定することに戻る（ブロック２２０）。これらのオペレーションはフィードバックループ構成(feedback loop configuration)で機能するので、各々の動作特性調整の後で、サーマルイベントの発生は、再チェックされる（ブロック２４０）。いくつかの実施形態では、サーマルイベントをチェックすることは、ヒステリシスを提供する閾値マージンを使用することを含む。サーマルイベントが検出されない場合、ノーマルオペレーションは再開され（ブロック２７０）、予め決定された時間期間の後で（例、決定されたサーマル時間定数に基づいている）（ブロック２６０）、処理は、様々なコンポーネントの様々な温度を測定することに再び戻る（ブロック２２０）。
【００５４】
様々な回路コンポーネントのうちの１つまたは複数の動作特性を調整すること（ブロック２５０）は、ここにおいて説明されたサーマル管理技術のうちのいずれかを通じて達成されることができる。図３−７は、開示されたサーマル管理技術のうちの１つまたは複数にしたがって選択回路コンポーネントのための動作特性の調整を図示する例示的なフローチャートを図示する。示されている具体的なサーマル管理技術は、説明の目的だけのために選択されており、包括的であると考えられてはおらず、また、いずれの特定の回路コンポーネントについて必要とされていない、ということは理解されるであろう。回路コンポーネントは個々に説明されているが、２以上の回路コンポーネントは、一致して調整されることができるということもまた理解されるであろう。
【００５５】
図３は、本発明の実施形態にしたがったモデムの動作特性を調整することを図示する。示されるように、サーマルイベントが生じるとき、モデムの１つまたは複数の動作特性は、データモジュールのサーマル特性と特定サーマル管理設定(the particular thermal management configurations and thermal characteristics of the data module)に基づいて調整される（ブロック３０２）。データモジュールがピークアップリンクレートを調整するように構成される場合（ブロック３０４）、少なくとも１つのパワー制御ポイント信号は、モデムにピークアップリンクデータレートを減少させるように命令するように生成される（ブロック３０６）。データモジュールがピークダウンリンクレートを調整するように構成される場合（ブロック３１２）、少なくとも１つのパワー制御ポイント信号は、モデムにダウンリンクデータレートを減少させるように命じるように生成される（ブロック３１４）。ダウンリンクデータレートは、例えば基地局について意図された信号品質フィードバック情報に人工的にバイアスをかけることによって縮小されることができる。データモジュールが、受信されたデータまたは送信されるべきデータの関連づけられた処理のために、クロック／電圧設定を調整するようにさらに構成される場合（ブロック３０８／３１６）、少なくとも１つのパワー制御ポイント信号は、モデムにそれらの関連づけられたクロック周波数と電圧設定を縮小するようにさらに命令するように生成される（ブロック３１０／３１８）。
【００５６】
図４は、本発明の実施形態にしたがったパワーアンプの動作特性を調整することを図示する。示されているように、サーマルイベントが生じるとき、パワーアンプの１つまたは複数の動作特性は、データモジュールのサーマル特性と特定サーマル管理設定に基づいて調整される（ブロック４０２）。データモジュールが、アップリンク送信パワーを制限するように、または、縮小されるように構成されている場合には（ブロック４０４）、少なくとも１つのパワー制御ポイント信号は、パワーアンプに、アップリンク送信パワーを制限する／縮小するように命令するように生成されている（ブロック４０６）。アップリンク送信パワーは、データモジュールのパワークラスを下げるのに十分に制限されることができる。
【００５７】
図５は、本発明の実施形態にしたがったＲＦ回路の動作特性を調整することを図示する。示されているように、サーマルイベントが生じる時、ＲＦ回路の１つまたは複数の動作特性は、データモジュールのサーマル特性と特定サーマル管理設定に基づいて調整される（ブロック５０２）。データモジュールが、受信ダイバーシティを調整するように構成される場合には（ブロック５０４）、少なくとも１つのパワー制御ポイント信号は、ＲＦ回路に受信ダイバーシティを一時的にディスエイブルにするように命令するように生成される（ブロック５０６）。データモジュールがマルチキャリアオペレーションを調整するように構成される場合には（ブロック５０８）、少なくとも１つのパワー制御ポイント信号は、ＲＦ回路に、マルチキャリアオペレーションを割り当てられたキャリアのサブセットに一時的に制限するように命令するように生成される（ブロック５１０）。したがって、１つまたは複数の割り当てられたキャリアは、基地局との調整を通じてドロップされることができる。保持されるべき割り当てられたキャリアのサブセットは、各キャリアの知覚された信号品質(perceived signal quality)に応じて選択されることができる。いくつかの設計では、マルチキャリアオペレーションは、一時的にすべてディスエイブルにされ、シングルキャリアに制限されたオペレーションであってもよい。データモジュールは、他の高度受信機機能（例、周波数応答の等化、干渉キャンセル等）を調整するように構成される場合には（ブロック５１２）、少なくとも１つのパワー制御ポイント信号は、ＲＦ回路に、高度な受信機機能のうちの少なくとも１つを一時的にディスエイブルにするように命じるように生成されている（ブロック５１４）。いくつかの設計では、高度受信機機能は、よいサービス品質が達成されるときのみ（例、予め決定された閾値より上のＳＮＲ）、ディスエイブルにされる。
【００５８】
図６は、本発明の実施形態にしたがったデコーダの動作特性を調整することを図示する。示されているように、サーマルイベントが生じるとき、デコーダの１つまたは複数の動作特性は、データモジュールのサーマル特性と特定サーマル管理設定に基づいて調整される（ブロック６０２）。データモジュールが多数の復号反復を調整するように構成される場合には（例、ターボデコーダの場合）（ブロック６０４）、少なくとも１つのパワー制御ポイント信号は、復号に使用される多数の反復を縮小するようにデコーダに命令するように生成される（ブロック６０６）。縮小された反復の数は、例えば、受信信号の知覚された信号品質または各反復についての収束に基づくことができる。
【００５９】
図７は、本発明の実施形態にしたがって、関連づけられた汎用プロセッサの動作特性を調整することを図示する。示されているように、サーマルイベントが生じるとき、プロセッサの１つまたは複数の動作特性は、データモジュールのサーマル特性と特定サーマル管理設定に基づいて調整される（ブロック７０２）。データモジュールは、ワイヤレス通信処理アクティビティを調整するように構成される場合には(ブロック７０４)、少なくとも1つのパワー制御ポイント信号は、プロセッサに複合通信関数(complex communication functions)を制限するように命令するように生成される（例、デュプレクストランシーバオペレーションをシンプレクスオペレーションに制限する）（ブロック７０６）。例えば、ダウンリンクアプリケーションと同時にする、アップリンクアプリケーションの実行は却下されうる(disallowed)。データモジュールが他の処理アクティビティ（例、マルチメディアアプリケーション）を調整するように構成される場合には（ブロック７０８）、少なくとも１つのパワー制御ポイント信号は、プロセッサに、これらの処理アクティビティの１つまたは複数をインタラプトする(interrupt)ように命令するように生成される。
【００６０】
ここにおいて説明された技術は、限定されてはいないが、増大されたサーマル傾向予測(increased predictability of thermal trends)、コンポーネントに対する物理的ダメージの予防(prevention of physical damage to components)、サーマル必要要件を備えた高められたコンプライアンス(heightened compliance with thermal requirements)、接触上昇温度または他のユーザ特有の関心事及び必要要件を縮小すること、のうちの１つまたは複数のような利益を提供する。
【００６１】
当業者は、情報と信号が様々な異なる技術および技法のいずれかを使用して表わされることができるということを理解するであろう。例えば、上記の説明の全体にわたって参照されることができる、データ、命令、コマンド、情報、信号、ビット、シンボル、及びチップは、電圧、電流、電磁波、磁場あるいは磁粒子、光場あるいは光学粒子、あるいはそれらのいずれの組み合わせ、によって表わされることができる。
【００６２】
当業者は、ここにおいて開示された実施形態に関連して説明された様々な説明のための論理ブロック、モジュール、回路、および、アルゴリズムのステップは、電子ハードウェア、コンピュータソフトウェアあるいは両方の組合せとしてインプリメントされることができる、ということをさらに理解するであろう。ハードウェアとソフトウェアのこの互換性を明瞭に説明するために、様々な説明のためのコンポーネント、ブロック、モジュール、回路およびステップが、一般的に、それらの機能という観点から、上記に説明されてきた。そのような機能が、ハードウェアあるいはソフトウェアとしてインプリメントされるかどうかは、特定のアプリケーションと全体のシステムに課された設計制約(design constraints)によって決まる。熟練職人は、各特定のアプリケーションについての様々な方法で、説明された機能性をインプリメントすることができるが、そのようなインプリメンテーションの決定は、本発明の範囲からの逸脱を生じさせるものとして解釈されるべきでない。
【００６３】
1つまたは複数の態様では、説明された機能は、ハードウェア、ソフトウェア、ファームウェアあるいはそれらのいずれかの組み合わせにおいてインプリメントされることができる。ソフトウェアでインプリメントされる場合には、機能は、コンピュータ可読媒体上で、1つまたは複数の命令あるいはコードとして、記憶されてもよく、あるいは、送信されてもよい。コンピュータ可読媒体は、ある場所から別の場所へのコンピュータプログラムの転送(transfer)を容易にするいずれの媒体も含んでいる、コンピュータ記憶媒体(computer storage media)と通信媒体(communication media)の両方を含む。記憶媒体は、コンピュータによってアクセスされることができる、いずれの利用可能な媒体であることができる。例として、限定されないが、そのようなコンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータストラクチャの形態で望まれるプログラムコードを保存あるいは搬送するために使用されることができる、また、コンピュータによってアクセスされることができる、任意の他の媒体も備えることができる。また、いずれの接続もコンピュータ可読メディア(computer-readable medium)と適切に名付けられる。例えば、ソフトウェアがウェブサイト、サーバ、あるいは、同軸ケーブル、光ファイバーケーブル、ツイストペア(twisted pair)、デジタル加入者ライン(digital subscriber line)(ＤＳＬ)、あるいは赤外線、無線、およびマイクロ波のようなワイヤレス技術を使用している他の遠隔ソース、から送信される場合には、そのときには、同軸ケーブル、光ファイバーケーブル、ツイストペア、ＤＳＬ、あるいは赤外線、無線、およびマイクロ波のようなワイヤレス技術は、媒体(medium)の定義に含まれている。ここにおいて使用されているように、ディスク(disk)とディスク(disc)は、コンパクトディスク(compact disc)(ＣＤ)、レーザーディスク(登録商標)(laser disc)、光学ディスク(optical disc)、デジタル汎用ディスク(digital versatile disc)（ＤＶＤ）、フロッピー(登録商標)ディスク(disk)およびブルーレイディスク(blu-ray disc)を含んでおり、「ディスク(disks)」は、大抵、データを磁気で再生しているが、「ディスク(discs)」は、レーザーで光学的に再生する。上記の組み合わせはまた、コンピュータ可読媒体の範囲内に含まれるべきである。
【００６４】
したがって、本発明の実施形態は、データモジュールのサーマル管理のための方法を具現化するコンピュータ可読媒体を含むことができる。したがって、本発明は、説明された例に限定されておらず、ここにおいて記載された機能性を実行するための手段のいずれも、本発明の実施形態に含まれる。
【００６５】
上述された本開示は本発明の説明のための実施形態を説明しているが、様々な変更及び修正が、添付された特許請求項の範囲によって定義される本発明の範囲から逸脱することなく、ここにおいてなされることができるであろうということに留意されるべきである。
【００６６】
ここにおいて説明される本発明の実施形態にしたがって、方法クレームの機能、ステップ及び/または動作は、具体的な順序で実行される必要はない。さらに、本発明の構成要素は、単数形で説明あるいは特許請求されているかもしれないが、単数形への制限が明示的に述べられていない限り、複数形が考慮される。
【図１】
2011521386.tif 000003
【図２】
2011521386.tif 000004
【図３】
2011521386.tif 000005
【図４】
2011521386.tif 000006
【図５】
2011521386.tif 000007
【図６】
2011521386.tif 000008
【図７】
2011521386.tif 000009
【手続補正書】
【提出日】平成23年1月24日(2011.1.24)
【手続補正１】
【補正対象書類名】特許請求の範囲
【補正対象項目名】全文
【補正方法】変更
【補正の内容】
【特許請求の範囲】
【請求項１】
ワイヤレス通信システムにおいて動作可能なデータモジュールであって、前記データモジュールは、
複数の回路コンポーネントと；
複数の温度センサと、なお、各センサは、前記複数の回路コンポーネントの回路コンポーネントに対応しており、前記対応する回路コンポーネントの個別の温度を決定するように構成されている；
前記個別の温度決定に基づいて前記データモジュールの１つまたは複数のサーマル特性を決定するように、そして、前記決定されたサーマル特性に基づいて前記複数の回路コンポーネントからの１つまたは複数のターゲットコンポーネントの対応する動作特性を個別に調整するかどうかを示す１つまたは複数のパワー制御ポイント信号を生成するように、構成されたサーマル管理ユニットと；
を備えているデータモジュール。
【請求項２】
少なくとも１つの温度センサは、
温度を直接に測定するサーミスタと、
動作電流に基づいて間接的に温度を決定する電流モニタと、
のうちの少なくとも１つである、請求項１に記載のデータモジュール。
【請求項３】
前記１つまたは複数の決定されたサーマル特性は、
予め決定された温度範囲における前記データモジュールのオペレーションを示しているサーマルステータスと、
時間にわたる前記データモジュールの温度における変化を示しているサーマル傾きと、
温度における変化に応じてサーマル均衡を達成することと関連づけられたサーマル時間定数と、
のうちの少なくとも１つを含む、請求項１に記載のデータモジュール。
【請求項４】
前記サーマル管理ユニットは、望ましい閾値レベル以下で前記決定されたサーマル特性を保持するためにフィードバック制御ループの一部として前記複数の回路コンポーネントからのターゲットコンポーネントの対応する動作特性を調整するように構成されている、請求項１に記載のデータモジュール。
【請求項５】
前記少なくとも１つのサーマル特性は、前記フィードバック制御ループに対してヒステリシスを提供する関連づけられた閾値マージンを有し、前記フィードバック制御ループは、前記決定された特性が望ましい閾値に達するまたは超えるとき、前記閾値マージンより下に、前記決定されたサーマル特性を戻す、請求項４に記載のデータモジュール。
【請求項６】
前記複数の回路コンポーネントは、情報を変調し復調するためのモデムを含み、少なくとも１つのパワー制御ポイント信号は、ピークアップリンクデータレートまたはダウンリンクデータレートを減少させるように、前記モデムに命令する、請求項１に記載のデータモジュール。
【請求項７】
少なくとも１つのパワー制御ポイント信号は、通信データを処理するために、関連づけられたクロック周波数及び電圧設定を縮小するように、前記モデムに命令する、請求項６に記載のデータモジュール。
【請求項８】
前記ダウンリンクデータレートは、基地局のために意図された信号品質フィードバック情報を、人工的にバイアスをかけることによって、縮小される、請求項６に記載のデータモジュール。
【請求項９】
前記複数の回路コンポーネントは、パワーアンプを含み、少なくとも１つのパワー制御ポイント信号は、アップリンク送信パワーを制限するまたは縮小させるように、前記パワーアンプに命令する、請求項１に記載のデータモジュール。
【請求項１０】
前記複数の回路コンポーネントは、無線周波数トランシーバ回路を含み、少なくとも１つのパワー制御ポイント信号は、
受信ダイバーシティを一時的にディスエイブルにすること、
割り当てられたキャリアのサブセットにマルチキャリアオペレーションを一時的に制限すること、
少なくとも１つの高度な受信機機能を一時的にディスエイブルにすること、
のうちの少なくとも１つを実行するように、前記無線周波数トランシーバ回路に命令する、請求項１に記載のデータモジュール。
【請求項１１】
１つまたは複数の割り当てられたキャリアは、基地局との調整を通じて、ドロップされる、請求項１０に記載のデータモジュール。
【請求項１２】
前記割り当てられたキャリアのサブセットは、各キャリアの知覚された信号品質に応じて選択される、請求項１０に記載のデータモジュール。
【請求項１３】
前記少なくとも１つの高度な受信機機能は、
前記トランシーバ回路周波数応答の等化と、
干渉キャンセルと、
のうちの少なくとも１つを含む、請求項１０に記載のデータモジュール。
【請求項１４】
前記少なくとも１つの高度受信機機能は、よいサービス品質を示している予め決定された閾値よりも信号対雑音比が上であるときのみにディスエイブルにされる、請求項１０に記載のデータモジュール。
【請求項１５】
前記複数の回路コンポーネントは、ターボデコーダを含み、少なくとも１つのパワー制御ポイント信号は、復号に使用された反復の数を縮小するように、前記ターボデコーダに命令する、請求項１に記載のデータモジュール。
【請求項１６】
前記サーマル管理ユニットは、
受信信号の知覚された信号品質と、
各反復の収束と、
の少なくとも１つに基づいて、前記縮小された反復の数を決定する、請求項１５に記載のデータモジュール。
【請求項１７】
前記サーマル管理ユニットは、汎用プロセッサに結合され、または、組み込まれ、前記サーマル管理ユニットは、前記プロセッサの１つまたは複数の処理アクティビティを制限するようにさらに構成されている、請求項１に記載のデータモジュール。
【請求項１８】
前記１つまたは複数の処理アクティビティを制限することは、
マルチメディアアプリケーションの実行をインタラプトすること、
シンプレクスオペレーションにデュプレクストランシーバオペレーションを制限すること、
ダウンリンクアプリケーションと同時にアップリンクアプリケーションの前記実行を不可能にすること、
の少なくとも１つを含む、請求項１７に記載のデータモジュール。
【請求項１９】
前記サーマル管理ユニットは、前記データモジュールの少なくとも２つの動作特性に同時に調整するために、少なくとも２つのパワー制御ポイント信号を生成する、請求項１に記載のデータモジュール。
【請求項２０】
前記少なくとも２つの調整された動作特性は、
モデムにおけるアップリンクデータレートまたはダウンリンクデータレートを制限することと、パワーアンプにおける最大送信パワーを制限すること、
モデムにおけるアップリンクデータレートまたはダウンリンクデータレートを制限することと、関連づけられた無線周波数トランシーバ回路の少なくとも１つの高度受信機機能をディスエイブルにすること、
前記モデムにおけるアップリンクデータレートまたはダウンリンクデータレートを制限することと、関連づけられた無線周波数トランシーバ回路の単一受信機に受信ダイバーシティを制限すること、及び
一度に単一のアップリンクアプリケーションまたはダウンリンクアプリケーションに、関連づけられた無線周波数トランシーバオペレーションを制限することと、アップリンク送信パワーを制限すること、
の組み合わせのうちの少なくとも１つを含む、請求項１９に記載のデータモジュール。
【請求項２１】
前記複数の回路コンポーネントからのターゲットコンポーネントの動作特性を調整することは、対応する動作特性の調整を選択的にイネーブルするために、メモリで保存されたサーマル管理パラメータにさらに基づいており、選択サーマル管理パラメータは、前記データモジュールのユーザによって設定可能である、請求項１に記載のデータモジュール。
【請求項２２】
前記選択サーマル管理パラメータのうちの少なくとも１つは、前記複数の回路コンポーネントのうちの１つの前記最大パワー消費を設定する、請求項２１に記載のデータモジュール。
【請求項２３】
前記データモジュールのサーマル特性を決定することは、メモリで保存され、前記データモジュールの前記１つまたは複数のサーマル特性と関連づけられたサーマルモデルを特徴づける、サーマル管理パラメータによって定義され、前記サーマル管理パラメータは、前記データモジュールのユーザによって設定可能である、請求項１に記載のデータモジュール。
【請求項２４】
前記選択サーマル管理パラメータのうちの１つまたは複数は、
前記サーマルモデルにおいて使用される前記データモジュールの前記フォームファクタの物理的特性と、
前記データモジュールの対応する動作特性を調整するための予め決定された時間期間と、
前記データモジュールの対応する動作特性を調整することと関連づけられた温度閾値と、
のうちの少なくとも１つを定義する、請求項２３に記載のデータモジュール。
【請求項２５】
複数の回路コンポーネントを備え、ワイヤレス通信システムにおいて動作可能なデータモジュールのサーマル管理のための方法であって、前記方法は、
前記複数の回路コンポーネントの各回路コンポーネントの個別の温度を決定することと、
前記個別の温度決定に基づいて、前記データモジュールの１つまたは複数のサーマル特性を決定することと、
前記決定されたサーマル特性に基づいて、前記複数の回路コンポーネントの中の１つまたは複数のターゲットコンポーネントの少なくとも１つの動作特性を個別に調整すること、
を備える、
方法。
【請求項２６】
前記１つまたは複数の決定されたサーマル特性は、
予め決定された温度範囲における前記データモジュールのオペレーションを示しているサーマルステータスと、
時間にわたる前記データモジュールの温度における変化を示しているサーマル傾きと、
温度における変化に応じてサーマル均衡を達成することと関連づけられたサーマル時間定数と、
のうちの少なくとも１つを含む、請求項２５に記載の方法。
【請求項２７】
１つまたは複数のターゲットコンポーネントの前記少なくとも1つの動作特性を調整することは、望ましい閾値レベル以下で前記決定されたサーマル特性を保持するためにフィードバック制御ループの一部として実行される、請求項２５に記載の方法。
【請求項２８】
少なくとも１つのサーマル特性は、前記フィードバック制御ループに対してヒステリシスを提供する関連づけられた閾値マージンを有し、前記フィードバック制御ループは、前記決定された特性が前記望ましい閾値に達するまたは超えるとき、前記閾値マージンより下に、前記決定されたサーマル特性を戻す、請求項２７に記載の方法。
【請求項２９】
１つまたは複数のターゲットコンポーネントの前記少なくとも1つの動作特性を調整することは、情報を変調し復調するためのモデムのピークアップリンクデータレートまたはダウンリンクデータレートを減少させることを含む、請求項２５に記載の方法。
【請求項３０】
１つまたは複数のターゲットコンポーネントの前記少なくとも１つの動作特性を調整することは、通信データを処理するための関連づけられたクロック周波数及び電圧設定を縮小することをさらに含む、請求項２９に記載の方法。
【請求項３１】
前記データレートを減少させることは、基地局のために意図された信号品質フィードバック情報を、人工的にバイアスをかけることを含む、請求項２９に記載の方法。
【請求項３２】
１つまたは複数のターゲットコンポーネントの前記少なくとも１つの動作特性を調整することは、パワーアンプによって提供される、アップリンク送信パワーを制限するまたは縮小させることを含む、請求項２５に記載の方法。
【請求項３３】
１つまたは複数のターゲットコンポーネントの前記少なくとも１つの動作特性を調整することは、
関連づけられた無線周波数トランシーバ回路の受信ダイバーシティを一時的にディスエイブルにすること、
割り当てられたキャリアのサブセットに、関連づけられた無線周波数トランシーバ回路のマルチキャリアオペレーションを一時的に制限すること、
のうちの少なくとも１つを含む、請求項２５に記載の方法。
【請求項３４】
各キャリアの知覚された信号品質に応じて、前記割り当てられたキャリアのサブセットを選択すること、をさらに備える請求項３３に記載の方法。
【請求項３５】
１つまたは複数のターゲットコンポーネントの前記少なくとも１つの動作特性を調整することは、
トランシーバ回路周波数応答の等化と、
干渉キャンセルと、
から選択される、少なくとも１つの高度な受信機機能を一時的にディスエイブルにすることを含む、請求項２５に記載の方法。
【請求項３６】
前記ディスエイブルにすることは、よいサービス品質を示している予め決定された閾値よりも信号対雑音比が上であるときのみに実行される、請求項３５に記載の方法。
【請求項３７】
１つまたは複数のターゲットコンポーネントの前記少なくとも１つの動作特性を調整することは、受信信号を復号することにおいて使用されるターボデコーダ反復の数を縮小することを含む、請求項２５に記載の方法。
【請求項３８】
受信信号の知覚された信号品質、または、各反復の収束、に基づいて、前記縮小された反復の数を決定すること、をさらに備えている請求項３７に記載の方法。
【請求項３９】
１つまたは複数のターゲットコンポーネントの前記少なくとも１つの動作特性を調整することは、前記データモジュールに結合された、または、組み込まれた、汎用プロセッサの１つまたは複数の処理アクティビティを制限することを含む、請求項２５に記載の方法。
【請求項４０】
前記処理アクティビティの１つまたは複数を制限することは、
マルチメディアアプリケーションの実行をインタラプトすること、
シンプレクスオペレーションにデュプレクストランシーバオペレーションを制限すること、
ダウンリンクアプリケーションと同時にアップリンクアプリケーションの実行を不可能にすること、
の少なくとも１つを含む、請求項３９に記載の方法。
【請求項４１】
少なくとも２つの動作特性は調整される、請求項２５に記載の方法。
【請求項４２】
前記少なくとも２つの調整された動作特性は、
モデムのアップリンクデータレートまたはダウンリンクデータレートを制限することと、パワーアンプの最大送信パワーを制限することと、
モデムのダウンリンクデータレートを制限することと、関連づけられた無線周波数トランシーバ回路の少なくとも１つの高度受信機機能をディスエイブルにすること、
モデムのアップリンクデータレートまたはダウンリンクデータレートを制限することと、関連づけられた無線周波数トランシーバ回路の単一受信機に受信ダイバーシティを制限すること、及び
一度に単一アップリンクアプリケーションまたはダウンリンクアプリケーションに無線周波数トランシーバオペレーションを制限することと、アップリンク送信パワーを制限すること、
の組み合わせのうちの少なくとも１つを含む、請求項４１に記載の方法。
【請求項４３】
メモリで保存され、そして、前記データモジュールの前記１つまたは複数のサーマル特徴と関連づけられたサーマルモデルを特徴づける、サーマル管理パラメータにしたがって調整するために前記サーマル特徴を選択すること、をさらに備え、前記サーマル管理パラメータは、前記データモジュールのユーザによって設定可能である、請求項２５に記載の方法。
【請求項４４】
前記サーマルモデルは、前記データモジュールの対応する動作特性を調整するための、少なくとも１つの予め決定された時間期間を定義する、請求項４３に記載の方法。
【請求項４５】
ワイヤレス通信システムにおいて動作可能なデータモジュールであって、前記データモジュールは、
複数の回路コンポーネントと、
前記複数の回路コンポーネントの各回路コンポーネントの個別の温度を決定するための手段と、
前記個別の温度決定に基づいて、前記データモジュールの１つまたは複数のサーマル特性を決定するための手段と、
前記決定されたサーマル特性に基づいて、前記複数の回路コンポーネントの中の１つまたは複数のターゲットコンポーネントの少なくとも１つの動作特性を個別に調整するための手段と、
を備える、
データモジュール。
【請求項４６】
前記１つまたは複数の決定されたサーマル特性は、
予め決定された温度範囲における前記データモジュールのオペレーションを示しているサーマルステータスと、
時間にわたる前記データモジュールの温度における変化を示しているサーマル傾きと、
温度における変化に応じてサーマル均衡を達成することと関連づけられたサーマル時間定数と、
のうちの少なくとも１つを含む、請求項４５に記載のデータモジュール。
【請求項４７】
１つまたは複数のターゲットコンポーネントの前記少なくとも１つの動作特性を調整するための手段は、望ましい閾値レベル以下で前記決定されたサーマル特性を保持するためにフィードバック制御ループの一部を形成する、請求項４５に記載のデータモジュール。
【請求項４８】
少なくとも１つのサーマル特性は、前記フィードバック制御ループに対してヒステリシスを提供する関連づけられた閾値マージンを有し、前記フィードバック制御ループは、前記決定された特性が前記望ましい閾値に達するまたは超えるとき、前記閾値マージンより下に、前記決定されたサーマル特性を戻す、請求項４７に記載のデータモジュール。
【請求項４９】
１つまたは複数のターゲットコンポーネントの前記少なくとも１つの動作特性を調整するための手段は、情報を変調し復調するためのモデムのピークアップリンクデータレートまたはダウンリンクデータレートを減少させるための手段を含む、請求項４５に記載のデータモジュール。
【請求項５０】
１つまたは複数のターゲットコンポーネントの前記少なくとも１つの動作特性を調整するための手段は、通信データを処理するために、関連づけられたクロック周波数及び電圧設定を縮小するための手段をさらに含む、請求項４９に記載のデータモジュール。
【請求項５１】
前記データレートを減少させるための手段は、基地局のために意図された信号品質フィードバック情報を、人工的にバイアスをかけるための手段を含む、請求項４９に記載のデータモジュール。
【請求項５２】
１つまたは複数のターゲットコンポーネントの前記少なくとも１つの動作特性を調整するための手段は、パワーアンプによって提供されるアップリンク送信パワーを制限するまたは縮小させるための手段を含む、請求項４５に記載のデータモジュール。
【請求項５３】
１つまたは複数のターゲットコンポーネントの前記少なくとも１つの動作特性を調整するための手段は、
関連づけられた無線周波数トランシーバ回路の受信ダイバーシティを一時的にディスエイブルにするための手段と、
割り当てられたキャリアのサブセットに、関連づけられた無線周波数トランシーバ回路のマルチキャリアオペレーションを一時的に制限するための手段と、
のうちの少なくとも１つを含む、請求項４５に記載のデータモジュール。
【請求項５４】
各キャリアの知覚された信号品質に応じて、前記割り当てられたキャリアのサブセットを選択するための手段、をさらに備える請求項５３に記載のデータモジュール。
【請求項５５】
１つまたは複数のターゲットコンポーネントの前記少なくとも１つの動作特性を調整するための手段は、
トランシーバ回路周波数応答の等化と、
干渉キャンセルと、
から選択される少なくとも１つの高度な受信機機能を一時的にディスエイブルにするための手段を含む、請求項４５に記載のデータモジュール。
【請求項５６】
前記ディスエイブルにすることは、よいサービス品質を示している予め決定された閾値よりも信号対雑音比が上であるときのみに実行される、請求項５５に記載のデータモジュール。
【請求項５７】
１つまたは複数のターゲットコンポーネントの前記少なくとも１つの動作特性を調整するための手段は、受信信号を復号することにおいて使用されるターボデコーダ反復の数を縮小するための手段を含む、請求項４５に記載のデータモジュール。
【請求項５８】
受信信号の知覚された信号品質、または、各反復の収束、に基づいて、前記縮小された反復の数を決定するための手段、をさらに備えている請求項５７に記載のデータモジュール。
【請求項５９】
１つまたは複数のターゲットコンポーネントの前記少なくとも１つの動作特性を調整するための手段は、前記データモジュールに結合された、または、組み込まれた、汎用プロセッサの１つまたは複数の処理アクティビティを制限するための手段を含む、請求項４５に記載のデータモジュール。
【請求項６０】
前記処理アクティビティの１つまたは複数を制限するための手段は、
マルチメディアアプリケーションの実行をインタラプトするための手段と、
シンプレクスオペレーションにデュプレクストランシーバオペレーションを制限するための手段と、
ダウンリンクアプリケーションと同時にアップリンクアプリケーションの実行を不可能にするための手段と、
の少なくとも１つを含む、請求項５９に記載のデータモジュール。
【請求項６１】
少なくとも２つの動作特性は調整される、請求項４５に記載のデータモジュール。
【請求項６２】
前記動作特性を調整するための手段は、
モデムのアップリンクデータレートまたはダウンリンクデータレートを制限するための手段とパワーアンプの最大送信パワーを制限するための手段、
モデムのダウンリンクデータレートを制限するための手段と関連づけられた無線周波数トランシーバ回路の少なくとも１つの高度受信機機能をディスエイブルにするための手段、
モデムのアップリンクデータレートまたはダウンリンクデータレートを制限し、関連づけられた無線周波数トランシーバ回路の単一受信機に受信ダイバーシティを制限するための手段、及び
一度に単一アップリンクアプリケーションまたはダウンリンクアプリケーションに、関連づけられた無線周波数トランシーバオペレーションを制限し、アップリンク送信パワーを制限するための手段、
の組み合わせのうちの少なくとも１つを含む、請求項６１に記載のデータモジュール。
【請求項６３】
メモリで保存されたサーマル管理パラメータにしたがって調整するために前記サーマル特徴を選択するための手段、をさらに備え、前記サーマル管理パラメータは、前記データモジュールの前記１つまたは複数のサーマル特徴と関連づけられたサーマルモデルを特徴づけ、前記サーマル管理パラメータは、前記データモジュールのユーザによって設定可能である、請求項４５に記載のデータモジュール。
【請求項６４】
前記サーマルモデルは、前記データモジュールの対応する動作特性を調整するための、少なくとも１つの予め決定された時間期間を定義する、請求項６３に記載のデータモジュール。
【請求項６５】
コードを備えるコンピュータ可読媒体であって、前記コードは、プロセッサによって実行されるとき、データモジュールのためのサーマル管理オペレーションを前記プロセッサに実行させ、前記データモジュールは、複数の回路コンポーネントを備え、ワイヤレス通信システムにおいて動作可能であり、前記コンピュータ可読媒体は、
前記複数の回路コンポーネントの各回路コンポーネントの個別の温度を決定するためのコードと、
前記個別の温度決定に基づいて、前記データモジュールの１つまたは複数のサーマル特性を決定するためのコードと、
前記決定されたサーマル特性に基づいて、前記複数の回路コンポーネントの中の１つまたは複数のターゲットコンポーネントの少なくとも１つの動作特性を個別に調整するためのコードと、
を備える、
コンピュータ可読媒体。
【請求項６６】
前記１つまたは複数の決定されたサーマル特性は、
予め決定された温度範囲における前記データモジュールのオペレーションを示しているサーマルステータスと、
時間にわたる前記データモジュールの温度における変化を示しているサーマル傾きと、
温度における変化に応じてサーマル均衡を達成することと関連づけられたサーマル時間定数と、
のうちの少なくとも１つを含む、請求項６５に記載のコンピュータ可読媒体。
【請求項６７】
１つまたは複数のターゲットコンポーネントの前記少なくとも１つの動作特性を調整するためのコードは、望ましい閾値レベル以下で前記決定されたサーマル特性を保持するためにフィードバック制御ループの一部を形成する、請求項６５に記載のコンピュータ可読媒体。
【請求項６８】
少なくとも１つのサーマル特性は、前記フィードバック制御ループに対してヒステリシスを提供する関連づけられた閾値マージンを有し、前記フィードバック制御ループは、前記決定された特性が前記望ましい閾値に達するまたは超えるとき、前記閾値マージンより下に、前記決定されたサーマル特性を戻す、請求項６７に記載のコンピュータ可読媒体。
【請求項６９】
１つまたは複数のターゲットコンポーネントの前記少なくとも１つの動作特性を調整するためのコードは、情報を変調し復調するためのモデムのピークアップリンクデータレートまたはダウンリンクデータレートを減少させるためのコードを含む、請求項６５に記載のコンピュータ可読媒体。
【請求項７０】
１つまたは複数のターゲットコンポーネントの前記少なくとも１つの動作特性を調整するためのコードは、通信データを処理するために、関連づけられたクロック周波数及び電圧設定を縮小するためのコードをさらに含む、請求項６９に記載のコンピュータ可読媒体。
【請求項７１】
前記データレートを減少させるためのコードは、基地局のために意図された信号品質フィードバック情報を、人工的にバイアスをかけるためのコードを含む、請求項６９に記載のコンピュータ可読媒体。
【請求項７２】
１つまたは複数のターゲットコンポーネントの前記少なくとも１つの動作特性を調整するためのコードは、パワーアンプによって提供されるアップリンク送信パワーを制限するまたは縮小させるためのコードを含む、請求項６５に記載のコンピュータ可読媒体。
【請求項７３】
１つまたは複数のターゲットコンポーネントの前記少なくとも１つの動作特性を調整するためのコードは、
関連づけられた無線周波数トランシーバ回路の受信ダイバーシティを一時的にディスエイブルにするためのコードと、
割り当てられたキャリアのサブセットに、関連づけられた無線周波数トランシーバ回路のマルチキャリアオペレーションを一時的に制限するためのコードと、
のうちの少なくとも１つを含む、請求項６５に記載のコンピュータ可読媒体。
【請求項７４】
各キャリアの知覚された信号品質に応じて、前記割り当てられたキャリアのサブセットを選択するためのコード、をさらに備える請求項７３に記載のコンピュータ可読媒体。
【請求項７５】
１つまたは複数のターゲットコンポーネントの前記少なくとも１つの動作特性を調整するためのコードは、
トランシーバ回路周波数応答の等化と、
干渉キャンセルと、
から選択される少なくとも１つの高度な受信機機能を一時的にディスエイブルにするためのコードを含む、請求項６５に記載のコンピュータ可読媒体。
【請求項７６】
前記ディスエイブルにすることは、よいサービス品質を示している予め決定された閾値よりも信号対雑音比が上であるときのみに実行される、請求項７５に記載のコンピュータ可読媒体。
【請求項７７】
１つまたは複数のターゲットコンポーネントの前記少なくとも１つの動作特性を調整するためのコードは、受信信号を復号することにおいて使用されるターボデコーダ反復の数を縮小するためのコードを含む、請求項６５に記載のコンピュータ可読媒体。
【請求項７８】
受信信号の知覚された信号品質、または、各反復の収束、に基づいて、前記縮小された反復の数を決定するためのコード、をさらに備えている請求項７７に記載のコンピュータ可読媒体。
【請求項７９】
１つまたは複数のターゲットコンポーネントの前記少なくとも１つの動作特性を調整するためのコードは、前記データモジュールに結合された、または、組み込まれた、汎用プロセッサの１つまたは複数の処理アクティビティを制限するためのコードを含む、請求項６５に記載のコンピュータ可読媒体。
【請求項８０】
前記処理アクティビティの１つまたは複数を制限するためのコードは、
マルチメディアアプリケーションの実行をインタラプトするためのコード、
シンプレクスオペレーションにデュプレクストランシーバオペレーションを制限するためのコードと、
ダウンリンクアプリケーションと同時にアップリンクアプリケーションの実行を不可能にするためのコードと、
の少なくとも１つを含む、請求項７９に記載のコンピュータ可読媒体。
【請求項８１】
少なくとも２つの動作特性は調整される、請求項６５に記載のコンピュータ可読媒体。
【請求項８２】
前記動作特性を調整するためのコードは、
モデムのアップリンクデータレートまたはダウンリンクデータレートを制限するためのコードと、パワーアンプの最大送信パワーを制限するためのコード、
モデムのダウンリンクデータレートを制限するためのコードと、関連づけられた無線周波数トランシーバ回路の少なくとも１つの高度受信機機能をディスエイブルにするためのコード、
モデムのアップリンクデータレートまたはダウンリンクデータレートを制限し、関連づけられた無線周波数トランシーバ回路の単一受信機に受信ダイバーシティを制限するためのコード、及び
一度に単一アップリンクアプリケーションまたはダウンリンクアプリケーションに、関連づけられた無線周波数トランシーバオペレーションを制限し、アップリンク送信パワーを制限するためのコード、
の組み合わせのうちの少なくとも１つを含む、請求項８１に記載のコンピュータ可読媒体。
【請求項８３】
メモリで保存されたサーマル管理パラメータにしたがって調整するために前記サーマル特徴を選択するためのコード、をさらに備え、前記サーマル管理パラメータは、前記データモジュールの前記１つまたは複数のサーマル特徴と関連づけられたサーマルモデルを特徴づけ、前記サーマル管理パラメータは、前記データモジュールのユーザによって設定可能である、請求項６５に記載のコンピュータ可読媒体。
【請求項８４】
前記サーマルモデルは、前記データモジュールの対応する動作特性を調整するための、少なくとも１つの予め決定された時間期間を定義する、請求項８３に記載のコンピュータ可読媒体。
【国際調査報告】
2011521386.tif 000010
2011521386.tif 000011
2011521386.tif 000012
2011521386.tif 000013
2011521386.tif 000014